(57)【特許請求の範囲】
【請求項１】
水底の地盤表面上に堆積した底質泥土を回収する底質泥土回収装置において、
(ａ)水上における固定足場を形成する台船と、
(ｂ)前記台船から前記地盤中に建て込み可能なケーシングパイプと、
(ｃ)前記台船上に設置され前記ケーシングパイプを支持すると共に軸周りの回転及び軸方向移動を行わせるべく駆動可能なケーシング回転掘削機と、
(ｄ)前記ケーシングパイプを貫通させた状態にて前記台船から吊下げ可能でありかつ該ケーシングパイプ外周面上に着脱可能な固定手段を具備すると共に該ケーシングパイプ外周面への固定状態にて該ケーシングパイプと共に回転及び軸方向移動しつつ地盤表面上の底質泥土を掻き寄せる回収扇部とを有し、
(b1)前記ケーシングパイプが、軸方向中間部分に回収口部を具備し、該回収口部には、前記ケーシングパイプを上下に分離した下部ケーシングパイプの上端部と上部ケーシングパイプの下端部とを回動自在に嵌合させた二重管構造部分が形成され、該上端部と該下端部の双方の対応する位置にて周方向に等間隔をもって同寸法の複数のシャッター孔がそれぞれ開口され、かつ前記ケーシング回転掘削機による回転駆動により該上端部と該下端部が相対的に回動して、対応する各シャッター孔がずれた位置となる閉状態と、対応する各シャッター孔が同位置となる開状態とを切り替え可能であり、かつ
(d1)前記回収扇部が、地盤表面上の底質泥土を掻き寄せるべく放射状に延びる複数の羽根板と、該複数の羽根板の上縁部を支持しかつ該ケーシングパイプのための貫通孔を設けた天板と、該天板の周縁から下方に延び該複数の羽根板の先端部を支持する円筒側板とを具備することを特徴とする
底質泥土回収装置。
【請求項２】
水底の地盤表面上に堆積した底質泥土を回収する底質泥土回収装置において、
(ａ)水上における固定足場を形成する台船と、
(ｂ)前記台船から前記地盤中に建て込み可能なケーシングパイプと、
(ｃ)前記台船上に設置され前記ケーシングパイプを支持すると共に軸周りの回転及び軸方向移動を行わせるべく駆動可能なケーシング回転掘削機と、
(ｄ)前記ケーシングパイプを貫通させた状態にて前記台船から吊下げ可能でありかつ該ケーシングパイプ外周面上に着脱可能な固定手段を具備すると共に該ケーシングパイプ外周面への固定状態にて該ケーシングパイプと共に回転及び軸方向移動しつつ地盤表面上の底質泥土を掻き寄せる回収扇部とを有し、
(b'1)前記ケーシングパイプが、軸方向中間部分に回収口部を具備し、該回収口部には、周方向に等間隔をもって同寸法の複数のスリット孔がそれぞれ開口され、かつ
(d1)前記回収扇部が、地盤表面上の底質泥土を掻き寄せるべく放射状に延びる複数の羽根板と、該複数の羽根板の上縁部を支持しかつ該ケーシングパイプのための貫通孔を設けた天板と、該天板の周縁から下方に延び該複数の羽根板の先端部を支持する円筒側板とを具備することを特徴とする
底質泥土回収装置。
【請求項３】
（d2）前記回収扇部の前記固定手段が、前記ケーシングパイプと同軸に前記天板上面に立設された円環壁の内側に等角度間隔で複数配置され、該固定手段の各々が、
(d2-1)前記ケーシングパイプ外周面を押圧可能な面を具備する挟持板と、
(d2-2)前記円環壁の内面に沿って上下移動可能な上下動くさびと、
(d2-3)前記上下動くさびの上下移動を制止すべく上下方向の所定位置にて固定可能な制止手段と、
(d2-4)前記上下動くさびと互いに傾斜面にて当接すると共に該上下動くさびの上下移動に伴って前記円環壁の径方向に水平移動可能な水平動くさびと、
(d2-5)前記水平動くさびと前記挟持板とを連結する連結手段と、
(d2-6)前記水平動くさびを前記円環壁の径方向外側へと付勢する弾性手段とを有し、
(d2-7)前記制止手段の上下方向の位置を前記弾性手段による弾性力に抗する方向に移動させたとき、前記上下動くさびが上下移動すると同時に前記水平動くさびが径方向内側へ移動することにより前記連結手段を介して前記挟持板が前記ケーシングパイプ外周面を押圧することを特徴とする
請求項１または２に記載の底質泥土回収装置。
【請求項４】
（d2'）前記回収扇部の前記固定手段が、前記ケーシングパイプと同軸に前記天板上面に立設された円環壁の内側に等角度間隔で複数配置され、該固定手段の各々が、
(d2'-1)前記ケーシングパイプ外周面を押圧可能な面を具備する挟持板と、
(d2'-2)前記円環壁の内面に固定されたエアシリンダであって該円環壁の径方向に伸縮可能な連結ロッドを具備しかつ該連結ロッドの先端が前記挟持板に連結される該エアシリンダとを有し、
(d2'-3)前記エアシリンダへ圧縮空気を供給するためのエア配管用の孔を、前記回収口部の前記シャッター孔の上方にて該ケーシングパイプに穿設し、かつ
(d2'-4)前記エアシリンダに圧縮空気を供給したとき、前記連結ロッドが径方向に伸びることにより前記挟持板が前記ケーシングパイプ外周面を押圧することを特徴とする
請求項１に記載の底質泥土回収装置。
【請求項５】
（d2'）前記回収扇部の前記固定手段が、前記ケーシングパイプと同軸に前記天板上面に立設された円環壁の内側に等角度間隔で複数配置され、該固定手段の各々が、
(d2'-1)前記ケーシングパイプ外周面を押圧可能な面を具備する挟持板と、
(d2'-2)前記円環壁の内面に固定されたエアシリンダであって該円環壁の径方向に伸縮可能な連結ロッドを具備しかつ該連結ロッドの先端が前記挟持板に連結される該エアシリンダとを有し、
(d2'-3)前記エアシリンダへ圧縮空気を供給するためのエア配管用の孔を、前記回収口部の前記スリット孔の上方にて該ケーシングパイプに穿設し、かつ
(d2'-4)前記エアシリンダに圧縮空気を供給したとき、前記連結ロッドが径方向に伸びることにより前記挟持板が前記ケーシングパイプ外周面を押圧することを特徴とする
請求項２に記載の底質泥土回収装置。
【請求項６】
前記羽根板が平面形状又は前記回収扇部の回転進行方向側の面が凹面となるべく湾曲した形状であることを特徴とする
請求項１〜５のいずれかに記載の底質泥土回収装置。
【請求項７】
前記天板が径方向外側へ向かって漸次下降する傾斜を具備することを特徴とする
請求項１〜６のいずれかに記載の底質泥土回収装置。
【請求項８】
前記ケーシングパイプの下端に着脱自在に装着されかつ該ケーシングパイプを底質泥土表面から地盤表面まで建て込む際に使用される先端キャップ部を具備し、
前記先端キャップ部が、下側の先端キャップと、上側の支持固定手段とから構成され、
前記下側の先端キャップは、円盤と、該円盤の下面に連設された円錐体と、該円錐体の表面に突設された複数の螺旋状の泥土掻き出し突条とを具備し、
前記上側の支持固定手段は、前記円盤の上面中心部から上方に延びる円柱状のシリンダ固定フレームと、該シリンダ固定フレームの外周上から径方向外側へ延びる複数の前進後退可能なシリンダと、該シリンダの各々の先端から突出するアームに取り付けられ該ケーシングパイプ内面に当接可能な固定脚とを具備することを特徴とする
請求項１〜７のいずれかに記載の底質泥土回収装置。
【請求項９】
前記上側の支持固定手段がさらに、前記円盤の上面周縁から上方に延びる複数の支柱に支持された円環状のガイドローラフレームと、該ガイドローラフレーム上に等角度間隔で取り付けられた複数のガイドローラとを具備し、該ガイドローラの各々は、前記ケーシングパイプの内面に沿って鉛直方向に転動可能に軸支され、かつ
前記先端キャップ部を吊り下げる吊りワイヤーを接続するワイヤーフックを具備することを特徴とする
請求項８に記載の底質泥土回収装置。
【請求項１０】
軸方向中間部分に回収口部を具備するケーシングパイプであって該回収口部に設けたシャッター孔が閉状態と開状態とを該ケーシングパイプの軸周りの回動により切り替え可能である該ケーシングパイプと、前記ケーシングパイプを貫通させた状態にて台船から吊下げ可能でありかつ該ケーシングパイプ外周面への固定状態にて該ケーシングパイプと共に回転及び軸方向移動しつつ地盤表面上の底質泥土を掻き寄せる回収扇部とを有する底質泥土回収装置を用いて底質泥土を回収する底質泥土回収方法において、
前記シャッター孔を閉状態とした前記ケーシングパイプの下端に土砂侵入防止用の先端キャップ部を装着すると共に該ケーシングパイプを底質泥土表面まで鉛直方向に建て込む第１工程と、
前記ケーシングパイプを回転しつつ底質泥土表面から地盤表面まで建て込む第２工程と、
前記ケーシングパイプの下端から前記先端キャップ部を取り外し回収する第３工程と、
前記シャッター孔下辺が地盤表面に到達するまで前記シャッター孔を閉状態としたまま前記ケーシングパイプを回転させつつ地盤中に建て込むと共に該ケーシングパイプ内部の土砂を掘削し取り出した後、該シャッター孔下辺が底質泥土表面に到達するまで該ケーシングパイプを引き上げる第４工程と、
前記回収扇部を底質泥土表面まで吊り降ろし前記ケーシングパイプ外周面へ固定すると共に前記シャッター孔を開状態とした後、該回収扇部が地盤表面に到達するまで前記ケーシングパイプを回転させつつ降下させることにより底質泥土を掻き寄せて該シャッター孔から該ケーシングパイプ内部に落とし込む第５工程と、
前記回収扇部の固定状態を解除し吊り上げて回収する第６工程と、
前記シャッター孔を閉状態とした後に前記ケーシングパイプの上端から土砂を投入することにより該ケーシングパイプ内部に落とし込まれた底質泥土の表面を該土砂で被覆する第７工程と、
前記ケーシングパイプを引き上げ回収する第８工程とを有することを特徴とする
底質泥土回収方法。
【請求項１１】
一の底質泥土除去対象領域にて前記第１〜８工程を行った後、水平方向に移動し、移動した後に前記第１〜８工程を繰り返す第９工程を有することを特徴とする請求項１０に記載の底質泥土回収方法。
【請求項１２】
前記第９工程の後、底質泥土が除去された地盤表面を土砂で埋める第１０工程を有することを特徴とする請求項１１に記載の底質泥土回収方法。
【請求項１３】
前記第７工程において投入する土砂として、前記第４工程において掘削され取り出されたケーシングパイプ内部の土砂を用いることを特徴とする請求項１０〜１２のいずれかに記載の底質泥土回収方法。
【請求項１４】
軸方向中間部分にスリット孔を具備する回収口部を設けたケーシングパイプと、前記ケーシングパイプを貫通させた状態にて台船から吊下げ可能でありかつ該ケーシングパイプ外周面への固定状態にて該ケーシングパイプと共に回転及び軸方向移動しつつ地盤表面上の底質泥土を掻き寄せる回収扇部とを有する底質泥土回収装置を用いて底質泥土を回収する底質泥土回収方法において、
前記ケーシングパイプの下端に土砂侵入防止用の先端キャップ部を装着すると共に該ケーシングパイプを底質泥土表面まで鉛直方向に建て込む第１工程と、
前記ケーシングパイプを回転しつつ底質泥土表面から地盤表面まで建て込む第２工程と、
前記ケーシングパイプの下端から前記先端キャップ部を取り外し回収する第３工程と、
前記スリット孔下辺が底質泥土表面に到達するまで前記ケーシングパイプを回転させつつ地盤中に建て込むと共に該ケーシングパイプ内部の土砂を掘削し取り出す第４工程と、
前記回収扇部を底質泥土表面まで吊り降ろし前記ケーシングパイプ外周面へ固定した後、該回収扇部が地盤表面に到達するまで前記ケーシングパイプを回転させつつ降下させることにより底質泥土を掻き寄せて該スリット孔から該ケーシングパイプ内部に落とし込む第５工程と、
前記回収扇部の固定状態を解除し吊り上げて回収する第６工程と、
前記ケーシングパイプの上端から土砂を投入することにより該ケーシングパイプ内部に落とし込まれた底質泥土の表面を該土砂で被覆する第７工程と、
前記ケーシングパイプを引き上げ回収する第８工程とを有することを特徴とする
底質泥土回収方法。
【請求項１５】
一の底質泥土除去対象領域にて前記第１〜８工程を行った後、水平方向に移動し、移動した後に前記第１〜８工程を繰り返す第９工程を有することを特徴とする請求項１４に記載の底質泥土回収方法。
【請求項１６】
前記第９工程の後、底質泥土が除去された地盤表面を土砂で埋める第１０工程を有することを特徴とする請求項１５に記載の底質泥土回収方法。
【請求項１７】
前記第７工程において投入する土砂として、前記第４工程において掘削され取り出されたケーシングパイプ内部の土砂を用いることを特徴とする請求項１４〜１６のいずれかに記載の底質泥土回収方法。
【発明の詳細な説明】
【技術分野】
【０００１】
本発明は、養殖漁場における排泄物や動植物の死骸等を含む沈殿物、あるいは河川等から流入する微粒物質等が堆積し、微生物等の影響でＣＯＤ値等が悪化し、水生生物の生育環境等に影響を与えている海域や湖沼等の底質泥土を処理する装置及び方法に関する。さらに、作業によって、汚濁等の水質汚染をほとんど生じることなく、かつ、固化材の投入や物理的固液分離装置等から排出する処理水の薬品処理等を行うことなく、更には処理過程で空気に触れさせないことから悪臭を発することなく、海底や湖沼の底にあるがままの状態で、海底または湖沼の底に形成した掘削孔中に落し込む底質泥土の処理装置及び方法に関する。
【背景技術】
【０００２】
養殖施設が設置されている漁場では、養殖魚介類に与えた餌料の残滓や魚介類の排泄物及び動植物の死骸等が海底や湖沼の底に堆積する。また、河川等に流れこんだ生活排水や家畜糞尿、耕作地から流れ出た水に含まれる有機肥料等の成分によって汚泥化した物質が堆積する。この結果、ＣＯＤ値、全窒素量、全リン量、硫化物等が基準値を超えることとなる。この堆積物を「底質泥土」と称する。
【０００３】
これらの海域や湖沼では、富栄養価による赤潮の発生や微小生物の異常繁殖による酸欠状態によって無酸素水域を形成、あるいはＣＯＤ値等が上昇する等、生環境が著しく悪化している。
【０００４】
堆積している底質泥土を、安価で周辺環境影響度の少ない方法で処理する技術の開発は、養殖漁場や湖沼の生環境の改善を促し、赤潮の発生やＣＯＤ値の低下等の改善を促すだけでなく、漁業生産者等にとって漁場の維持・回復のコストを低く抑え、かつ処理作業に伴う環境の悪化を防止するものとして望まれているところである。
【０００５】
底質泥土の処理に係る技術は、従来から幅広く提案されており、これを列挙する形で問題点を明らかにすることとする。
【０００６】
１．グラブ浚渫船、ドレッジャー型浚渫船、バケット付コンベアー型浚渫船等の一般的浚渫装置により物理的に浚渫除去する方法は、最も安価で大量に処理できる。しかしながら、養殖漁場等における有機物等微細粒子を大量に含む底質泥土を処理する場合、浮泥等の浮遊物質を大量に巻き上げる。従って、作業による周辺の水域汚染防止のために大量の沈降材の投入を行う等の処理が必要となる。また、浚渫した底質泥土の廃棄場所等での悪臭や排水による水質汚染等の環境への影響が避けられない。
【０００７】
２．吸引型浚渫装置は同じく物理的な処理を基本とする技術であるが、一般的浚渫装置に比較すると巻き上げる浮泥等の量は少なく、浚渫する周辺の水域に与える水質汚染等の影響は小さい。また、一度に処理できる泥土量も少ないことから工事区域を限定した対応も可能である。しかしながら、吸引装置より排出される底質泥土は高い含水比を有した軟泥液状となり、これを処理するために薬品や固化材等の処理材を大量に用いる（特許文献１参照）。
【０００８】
また、台船上あるいは陸上に設置した施設で脱水処理し、該脱水した泥水を薬品等で処理して放水し、含水比を下げた泥土を回収するので、大量に処理するためには大型の固液分離機械等の処理装置を必要としコスト高になることは必定であった。さらに、台船や陸上に圧送処理する工程若しくは処理装置内で、有機物質が空気に触れることによる悪臭の発生等、環境への影響を避けることができないものであった。あるいは、陸上で数年間仮置することにより脱水させる方法では、仮置きする場所が少ないため、この方法自体が困難なこと、また脱水後の処理方法としては埋立てなどしかなく、その処理可能な土砂の量が少ないことも問題となっている。
【０００９】
３．砂等を散布し直接底質泥土を被覆する方法は、安価で大量に施工できるという利点はある。しかしながら、被覆する土砂を散布する時点で底質泥土の巻き上げあるいは被覆材に含まれる微粒物質等の散乱による周辺水域の汚濁等を引起す。加えて、水深を浅くすることで水温上昇等環境条件の著しい変化を引起す。従って、漁場等生物資源を得ることを目的とする水域では適さないものであった。また、近年砂等の採取による自然破壊が問題化していることから、被覆材料を安価に、大量に入手することが困難な状況になっている。 
【００１０】
４．底質泥土層の下部の地盤表面より下の砂層にガイドパイプを打込み、ガイドパイプ内にジェット噴射パイプを垂下してジェット水流で砂層の砂を押上げ、土層を反転するようにして底質泥土層を被覆する技術がある。この技術は、当該地盤表面より下の土質が浮遊汚濁の原因となる微細土粒子を含まない場合は有効であるが、地盤線以下の土層が微細土粒子の多い土質である場合は押上げて被覆する工程で周辺水質の汚濁が起こる。また、当該土層が軟岩や外径の大きいレキを含む砂礫層等の場合には、押上げて土層反転する状態で被覆する技術は適用できない。
【００１１】
５．吸引した土砂を回収した台船の処理装置に導いた後、高圧をかけて土中に差し込んだパイプの先端から吐き出して海底等の土中に封入する技術も検討されている。しかしながら、地盤の強度が一様でないところでは圧送された土砂が地盤強度の弱い部分を突き破って周辺水域に拡散し水質汚染を引起す。また、地盤が固結した砂層や砂礫、岩盤等の場合、圧送した泥土が固結した砂層等に殆ど封入できないことは地盤改良工法等の経験のある技術者にとっては周知の事実であり、無理に圧送しようとすると挿入したパイプの破損または圧力の反動で地盤から抜けることが起き、大量の泥土を拡散させるおそれがある。従って、当該圧送工法は極めて限られた条件を満たす場所以外、有効でない技術であった。
【特許文献１】特開平１０−４９９号公報
【発明の開示】
【発明が解決しようとする課題】
【００１２】
以上の通り、従来の技術は、底質泥土を除去するという点ではある程度の効果を奏する。しかしながら、これら技術の多くは底質泥土を陸上あるいは処理装置を設置した台船上に導き、機械装置による固液分離処理等を行おうとするものであり、処理過程で発生する泥水等を処理するために薬品や固化材等の処理材の使用を必要とする。従って、使用する薬品や固化材によっては、直接的に有害な成分を含んでいたり、環境ホルモン等生態系に影響を及ぼしたりする。
【００１３】
広く用いられてきたセメント系固化材においても、含有する六価クロムによる水質汚染が危惧されている等、多くの課題を残している。また、有機物が多い底質泥土の場合、空気に触れることで悪臭が発生するため、新たな環境問題を生じる。
【００１４】
一方、土層反転または他から持込んだ砂で被覆する方法は、当該土層の適用範囲が限られている。また、吸引した泥土を高圧で地中に封入する技術は、極めて限られた条件でしか有効でない技術と言える。
【００１５】
従来の技術の問題点をまとめると、下記の通りである。
１．底質泥土の掘削等の処理工程で浮泥の拡散等の汚染を引起こす。
２．陸上または台船上の装置等に送る過程で空気に触れ悪臭を発生する。
３．泥土の固化または脱水した処理後の泥水を浄化するために固化材や凝集剤等の化学物質を含む材料や薬品を投入することにより、環境ホルモンほか新たな環境問題の原因となるおそれがある。
４．回収した底質泥土を脱水した後の処理方法が確立されていない場合もあり、施工後に処理や廃棄を必要とする副産物を発生しない対策が望まれている。
５．限られた条件において有効な技術ではあっても、底質の地盤の土質変化がある海域や湖沼等において有効性を保持できないものがある。
【００１６】
本発明の目的は、上記の問題点を解決することができる底質泥土の回収装置及び回収方法を提供することを目的とする。
【課題を解決するための手段】
【００１７】
上記の目的を達成できる各請求項に係る発明は、次の通りである。
（１）請求項１に係る発明は、水底の地盤表面上に堆積した底質泥土を回収する底質泥土回収装置であって「シャッター型回収口部」を具備するタイプであり、以下の構成を有する。
(ａ)水上における固定足場を形成する台船と、
(ｂ)前記台船から前記地盤中に建て込み可能なケーシングパイプと、
(ｃ)前記台船上に設置され前記ケーシングパイプを支持すると共に軸周りの回転及び軸方向移動を行わせるべく駆動可能なケーシング回転掘削機と、
(ｄ)前記ケーシングパイプを貫通させた状態にて前記台船から吊下げ可能でありかつ該ケーシングパイプ外周面上に着脱可能な固定手段を具備すると共に該ケーシングパイプ外周面への固定状態にて該ケーシングパイプと共に回転及び軸方向移動しつつ地盤表面上の底質泥土を掻き寄せる回収扇部とを有し、
(b1)前記ケーシングパイプが、軸方向中間部分に回収口部を具備し、該回収口部には、前記ケーシングパイプを上下に分離した下部ケーシングパイプの上端部と上部ケーシングパイプの下端部とを回動自在に嵌合させた二重管構造部分が形成され、該上端部と該下端部の双方の対応する位置にて周方向に等間隔をもって同寸法の複数のシャッター孔がそれぞれ開口され、かつ前記ケーシング回転掘削機による回転駆動により該上端部と該下端部が相対的に回動して、対応する各シャッター孔がずれた位置となる閉状態と、対応する各シャッター孔が同位置となる開状態とを切り替え可能であり、かつ
(d1)前記回収扇部が、地盤表面上の底質泥土を掻き寄せるべく放射状に延びる複数の羽根板と、該複数の羽根板の上縁部を支持しかつ該ケーシングパイプのための貫通孔を設けた天板と、該天板の周縁から下方に延び該複数の羽根板の先端部を支持する円筒側板とを具備する。
【００１８】
（２）請求項２に係る発明は、水底の地盤表面上に堆積した底質泥土を回収する底質泥土回収装置であって「スリット型回収口部」を具備するタイプであり、以下の構成を有する。
(ａ)水上における固定足場を形成する台船と、
(ｂ)前記台船から前記地盤中に建て込み可能なケーシングパイプと、
(ｃ)前記台船上に設置され前記ケーシングパイプを支持すると共に軸周りの回転及び軸方向移動を行わせるべく駆動可能なケーシング回転掘削機と、
(ｄ)前記ケーシングパイプを貫通させた状態にて前記台船から吊下げ可能でありかつ該ケーシングパイプ外周面上に着脱可能な固定手段を具備すると共に該ケーシングパイプ外周面への固定状態にて該ケーシングパイプと共に回転及び軸方向移動しつつ地盤表面上の底質泥土を掻き寄せる回収扇部とを有し、
(b'1)前記ケーシングパイプが、軸方向中間部分に回収口部を具備し、該回収口部には、周方向に等間隔をもって同寸法の複数のスリット孔がそれぞれ開口され、かつ
(d1)前記回収扇部が、地盤表面上の底質泥土を掻き寄せるべく放射状に延びる複数の羽根板と、該複数の羽根板の上縁部を支持しかつ該ケーシングパイプのための貫通孔を設けた天板と、該天板の周縁から下方に延び該複数の羽根板の先端部を支持する円筒側板とを具備する。
【００１９】
（３）請求項３に係る発明は、請求項１または２に記載の底質泥土回収装置において、回収扇部の固定手段が「くさび固定式」であり、以下の構成を有する。
（d2）前記回収扇部の前記固定手段が、前記ケーシングパイプと同軸に前記天板上面に立設された円環壁の内側に等角度間隔で複数配置され、該固定手段の各々が、
(d2-1)前記ケーシングパイプ外周面を押圧可能な面を具備する挟持板と、
(d2-2)前記円環壁の内面に沿って上下移動可能な上下動くさびと、
(d2-3)前記上下動くさびの上下移動を制止すべく上下方向の所定位置にて固定可能な制止手段と、
(d2-4)前記上下動くさびと互いに傾斜面にて当接すると共に該上下動くさびの上下移動に伴って前記円環壁の径方向に水平移動可能な水平動くさびと、
(d2-5)前記水平動くさびと前記挟持板とを連結する連結手段と、
(d2-6)前記水平動くさびを前記円環壁の径方向外側へと付勢する弾性手段とを有し、
(d2-7)前記制止手段の上下方向の位置を前記弾性手段による弾性力に抗する方向に移動させたとき、前記上下動くさびが上下移動すると同時に前記水平動くさびが径方向内側へ移動することにより前記連結手段を介して前記挟持板が前記ケーシングパイプ外周面を押圧することを特徴とする。
【００２０】
（４）請求項４に係る発明は、請求項１のシャッター型回収口部を具備する底質泥土回収装置における回収扇部の固定手段が「エア固定式」であり、以下の構成を有する。
（d2'）前記回収扇部の前記固定手段が、前記ケーシングパイプと同軸に前記天板上面に立設された円環壁の内側に等角度間隔で複数配置され、該固定手段の各々が、
(d2'-1)前記ケーシングパイプ外周面を押圧可能な面を具備する挟持板と、
(d2'-2)前記円環壁の内面に固定されたエアシリンダであって該円環壁の径方向に伸縮可能な連結ロッドを具備しかつ該連結ロッドの先端が前記挟持板に連結される該エアシリンダとを有し、
(d2'-3)前記エアシリンダへ圧縮空気を供給するためのエア配管用の孔を、前記回収口部の前記シャッター孔の上方にて該ケーシングパイプに穿設し、かつ
(d2'-4)前記エアシリンダに圧縮空気を供給したとき、前記連結ロッドが径方向に伸びることにより前記挟持板が前記ケーシングパイプ外周面を押圧することを特徴とする。
【００２１】
（５）請求項５に係る発明は、請求項２のスリット型回収口部を具備する底質泥土回収装置における回収扇部の固定手段が「エア固定式」であり、以下の構成を有する。
（d2'）前記回収扇部の前記固定手段が、前記ケーシングパイプと同軸に前記天板上面に立設された円環壁の内側に等角度間隔で複数配置され、該固定手段の各々が、
(d2'-1)前記ケーシングパイプ外周面を押圧可能な面を具備する挟持板と、
(d2'-2)前記円環壁の内面に固定されたエアシリンダであって該円環壁の径方向に伸縮可能な連結ロッドを具備しかつ該連結ロッドの先端が前記挟持板に連結される該エアシリンダとを有し、
(d2'-3)前記エアシリンダへ圧縮空気を供給するためのエア配管用の孔を、前記回収口部の前記スリット孔の上方にて該ケーシングパイプに穿設し、かつ
(d2'-4)前記エアシリンダに圧縮空気を供給したとき、前記連結ロッドが径方向に伸びることにより前記挟持板が前記ケーシングパイプ外周面を押圧することを特徴とする。
【００２２】
（６）請求項６に係る発明は、請求項１〜５のいずれかの底質泥土回収装置において、前記羽根板が平面形状又は前記回収扇部の回転進行方向側の面が凹面となるべく湾曲した形状であることを特徴とする。
【００２３】
（７）請求項７に係る発明は、請求項１〜６のいずれかの底質泥土回収装置において、前記天板が径方向外側へ向かって漸次下降する傾斜を具備することを特徴とする。
【００２４】
（８）請求項８に係る発明は、請求項１〜７のいずれかの底質泥土回収装置において、前記ケーシングパイプの下端に着脱自在に装着されかつ該ケーシングパイプを底質泥土表面から地盤表面まで建て込む際に使用される先端キャップ部を具備し、
前記先端キャップ部が、下側の先端キャップと、上側の支持固定手段とから構成され、
前記下側の先端キャップは、円盤と、該円盤の下面に連設された円錐体と、該円錐体の表面に突設された複数の螺旋状の泥土掻き出し突条とを具備し、
前記上側の支持固定手段は、前記円盤の上面中心部から上方に延びる円柱状のシリンダ固定フレームと、該シリンダ固定フレームの外周上から径方向外側へ延びる複数の前進後退可能なシリンダと、該シリンダの各々の先端から突出するアームに取り付けられ該ケーシングパイプ内面に当接可能な固定脚とを具備することを特徴とする。
【００２５】
（９）請求項９に係る発明は、請求項８の底質泥土回収装置において、前記上側の支持固定手段がさらに、前記円盤の上面周縁から上方に延びる複数の支柱に支持された円環状のガイドローラフレームと、該ガイドローラフレーム上に等角度間隔で取り付けられた複数のガイドローラとを具備し、該ガイドローラの各々は、前記ケーシングパイプの内面に沿って鉛直方向に転動可能に軸支され、かつ
前記先端キャップ部を吊り下げる吊りワイヤーを接続するワイヤーフックを具備することを特徴とする。
【００２６】
（１０）請求項１０に係る発明は、「シャッター型回収口部」を具備する底質泥土回収装置を用いた底質泥土回収方法であり、以下の構成を有する。
軸方向中間部分に回収口部を具備するケーシングパイプであって該回収口部に設けたシャッター孔が閉状態と開状態とを該ケーシングパイプの軸周りの回動により切り替え可能である該ケーシングパイプと、前記ケーシングパイプを貫通させた状態にて台船から吊下げ可能でありかつ該ケーシングパイプ外周面への固定状態にて該ケーシングパイプと共に回転及び軸方向移動しつつ地盤表面上の底質泥土を掻き寄せる回収扇部とを有する底質泥土回収装置を用いて底質泥土を回収する底質泥土回収方法において、
前記シャッター孔を閉状態とした前記ケーシングパイプの下端に土砂侵入防止用の先端キャップ部を装着すると共に該ケーシングパイプを底質泥土表面まで鉛直方向に建て込む第１工程と、
前記ケーシングパイプを回転しつつ底質泥土表面から地盤表面まで建て込む第２工程と、
前記ケーシングパイプの下端から前記先端キャップ部を取り外し回収する第３工程と、
前記シャッター孔下辺が地盤表面に到達するまで前記シャッター孔を閉状態としたまま前記ケーシングパイプを回転させつつ地盤中に建て込むと共に該ケーシングパイプ内部の土砂を掘削し取り出した後、該シャッター孔下辺が底質泥土表面に到達するまで該ケーシングパイプを引き上げる第４工程と、
前記回収扇部を底質泥土表面まで吊り降ろし前記ケーシングパイプ外周面へ固定すると共に前記シャッター孔を開状態とした後、該回収扇部が地盤表面に到達するまで前記ケーシングパイプを回転させつつ降下させることにより底質泥土を掻き寄せて該シャッター孔から該ケーシングパイプ内部に落とし込む第５工程と、
前記回収扇部の固定状態を解除し吊り上げて回収する第６工程と、
前記シャッター孔を閉状態とした後に前記ケーシングパイプの上端から土砂を投入することにより該ケーシングパイプ内部に落とし込まれた底質泥土の表面を該土砂で被覆する第７工程と、
前記ケーシングパイプを引き上げ回収する第８工程とを有することを特徴とする。
【００２７】
（１１）請求項１１に係る発明は、請求項１０に記載の底質泥土回収方法において、一の底質泥土除去対象領域にて前記第１〜８工程を行った後、水平方向に移動し、移動した後に前記第１〜８工程を繰り返す第９工程を有することを特徴とする。
【００２８】
（１２）請求項１２に係る発明は、請求項１１に記載の底質泥土回収方法において、前記第９工程の後、底質泥土が除去された地盤表面を土砂で埋める第１０工程を有することを特徴とする。
【００２９】
（１３）請求項１３に係る発明は、請求項１０〜１１のいずれかに記載の底質泥土回収方法において、前記第７工程において投入する土砂として、前記第４工程において掘削され取り出されたケーシングパイプ内部の土砂を用いることを特徴とする。
【００３０】
（１４）請求項１４に係る発明は、「スリット型回収口部」を具備する底質泥土回収装置を用いた底質泥土回収方法であり、以下の構成を有する。
軸方向中間部分にスリット孔を具備する回収口部を設けたケーシングパイプと、前記ケーシングパイプを貫通させた状態にて台船から吊下げ可能でありかつ該ケーシングパイプ外周面への固定状態にて該ケーシングパイプと共に回転及び軸方向移動しつつ地盤表面上の底質泥土を掻き寄せる回収扇部とを有する底質泥土回収装置を用いて底質泥土を回収する底質泥土回収方法において、
前記ケーシングパイプの下端に土砂侵入防止用の先端キャップ部を装着すると共に該ケーシングパイプを底質泥土表面まで鉛直方向に建て込む第１工程と、
前記ケーシングパイプを回転しつつ底質泥土表面から地盤表面まで建て込む第２工程と、
前記ケーシングパイプの下端から前記先端キャップ部を取り外し回収する第３工程と、
前記スリット孔下辺が底質泥土表面に到達するまで前記ケーシングパイプを回転させつつ地盤中に建て込むと共に該ケーシングパイプ内部の土砂を掘削し取り出す第４工程と、
前記回収扇部を底質泥土表面まで吊り降ろし前記ケーシングパイプ外周面へ固定した後、該回収扇部が地盤表面に到達するまで前記ケーシングパイプを回転させつつ降下させることにより底質泥土を掻き寄せて該スリット孔から該ケーシングパイプ内部に落とし込む第５工程と、
前記回収扇部の固定状態を解除し吊り上げて回収する第６工程と、
前記ケーシングパイプの上端から土砂を投入することにより該ケーシングパイプ内部に落とし込まれた底質泥土の表面を該土砂で被覆する第７工程と、
前記ケーシングパイプを引き上げ回収する第８工程とを有することを特徴とする。
【００３１】
（１５）請求項１５に係る発明は、請求項１４に記載の底質泥土回収方法において、一の底質泥土除去対象領域にて前記第１〜８工程を行った後、水平方向に移動し、移動した後に前記第１〜８工程を繰り返す第９工程を有することを特徴とする。
【００３２】
（１６）請求項１６に係る発明は、請求項１５に記載の底質泥土回収方法において、前記第９工程の後、底質泥土が除去された地盤表面を土砂で埋める第１０工程を有することを特徴とする。
【００３３】
（１７）請求項１７に係る発明は、請求項１４〜１６のいずれかに記載の底質泥土回収方法において、前記第７工程において投入する土砂として、前記第４工程において掘削され取り出されたケーシングパイプ内部の土砂を用いることを特徴とする。
【発明の効果】
【００３４】
本発明は、杭打ち工事等の分野では広く用いられている、ケーシングパイプを貫入して内部を掘削する工程を繰返し所定深度まで掘削孔を形成する工法を、底質泥土の回収作業に利用したものであり、当該工法を海上作業で一般に用いられるスパッドを装備した台船と組合せている。さらに、公知のケーシング回転掘削機によりケーシングパイプを上下移動させたり、ケーシングパイプを軸周りのいずれかの方向に回転させたりする技術を利用すると共に、比較的簡易な新規構造体を組合わせている。これにより、安価な装置及び方法を実現している。
【００３５】
ケーシングパイプの建て込み時の先端キャップ部は、ケーシングパイプ直下の底質泥土をケーシングパイプの周囲に押出し排除する機能を有する。
【００３６】
また、回収扇部の羽根板は、直下にある底質泥土を中心へ掻き寄せる機能を有する。特に、回収扇部の天板が径方向外側へ向かって漸次下降する傾斜を具備する場合には、回収効率が高い。掻き寄せられた底質泥土は、回収口部の開状態のシャッター孔、又はスリット孔を通って内部に落し込まれる。底質泥土へ建て込む際のケーシングパイプ及び回収扇部の回転は、底質泥土を静かに横移動させるために必要な程度の緩やかな回転で足りる。これにより、回転による底質泥土の巻き上げや拡散が回避される。また、落とし込まれた底質泥土の表面を土砂でキャッピングした後にケーシングパイプを引き抜くので、これによっても底質泥土の巻き上げや拡散が回避される。このように水質汚濁による悪影響を与えないことから処理区域周辺の環境変化による生産性低下を引き起こすことがなく、養殖漁場等の底質泥土を処理する方法として適している。
【００３７】
本発明では、従来工法のように底質泥土を水上又は陸上まで掘削装置で掘り揚げたり吸引装置で吸い上げたりする必要がなく、底質泥土の堆積場所でそのまま処理を完了することができる。従って、陸上あるいは台船上に底質泥土を導く工程がなく、底質泥土が空気に一切触れない。この結果、処理工程における悪臭の発生が全くない。
【００３８】
また、従来工法の多くが採用している底質泥土の固化材や薬品等の処理材を全く使用しないので、処理材に含まれる成分による水質汚染や環境ホルモン等による生態系への影響が全くない。
【００３９】
本発明は、水底の地盤の固結の程度に関わりなく、ケーシングパイプを地盤中に貫入させつつハンマーグラブ等でケーシングパイプ内の土砂を掘削し取り出して掘削孔を形成した後、この掘削孔内に底質泥土をゆっくりと落し込む工法である。従って、土中圧送工法のように地盤の強度や土質構成成分等の現地条件によってその効果が制約されることはない。
【００４０】
特に、底質泥土を水上に回収するのではなく、現地の地盤に掘削した掘削孔に落とし込み、さらに好適にはその掘削した土砂を用いて掘削孔の被覆を行ったり、底質泥土回収後の地盤表面への埋め戻しを行ったりすることができるため、施工後に処理や廃棄を必要とする副産物が全く発生しない。この点は、本発明の最も重要な効果の一つである。
【００４１】
尚、底質泥土下の地盤の土質が多量の微細粒子を含む等、掘削した土砂がキャッピング処理及びキャッピン後の埋め戻し土砂として不適当である場合は、地盤表面と均一面になる程度まで良質の別の土砂をもって埋め戻し、掘削した土砂は台船等に回収し、陸上施設等において残土処理する。これにより、周辺水域を汚濁することが避けられる。 また、このような地盤の掘削土砂は、微細粒子を含むとはいっても底質泥土のように汚泥部分を含まないので、薬品処理や固結材処理をすることなく、水質汚濁のおそれがない状態で管理される工事の埋立土等として利用可能である。
【００４２】
本発明では、一般に用いられている建設機械や掘削工法を活用し、一サイクルで相当量の作業を可能とするほか、固液分離等の複雑な処理による時間を必要としないことから連続した作業が可能であり、単位処理量当りの費用が安価となる。また、掘削作業やケーシングパイプ抜取り以外では機械音等の騒音や振動等も抑えられる。
【００４３】
本発明では、回収扇部直下の円形領域以外の区域を乱さないこと、処理材の投入を行わないことから、周辺に存在する有用な微生物や動植物等生態系に与える負荷が小さく、漁場の生産性を維持したままで底質環境が悪化している部分のみを浄化処理することが可能であり経済的効果は大きい。
【００４４】
特に、本発明におけるシャッター型回収口部を具備する底質泥土回収装置は、ケーシングパイプを一部二重管構造とすることと、ケーシング回転掘削機を台船に設置することと、着脱自在に装着可能で円錐体表面に螺旋状の突条を設けた先端キャップ部、及びケーシングパイプと共に回転可能及び上下移動可能な回収扇部以外には、特別の処理装置を必要とせず、一般に広く使用されているケーシング回転掘削機とケーシングパイプ、台船、掘削及び埋め戻し作業用の掘削機を搭載した掘削土仮積台船を用意することで、好適例の全工程を完了できる。従って、安価に実施できる。
【００４５】
さらに、スリット型回収口部を具備する底質泥土回収装置は、ケーシングパイプの構造を単純化でき、またシャッター型のように開閉操作がないため制御も簡単であり、低コストで実施できる。
【００４６】
シャッター型及びスリット型のいずれの回収口部を具備するケーシングパイプにおいても、回収扇部がケーシングパイプに固定されることによりケーシングパイプと共に回転及び上下動可能であるので、回収扇部に対して別個の駆動手段を設ける必要はなく、低コストで実施できる。
【００４７】
更に、いずれの底質泥土回収装置も、同一装置で多様な地盤に適用可能であることから、地盤変化が大きい地域でも複数の装置を準備する必要がなく、経済的な効果が高いものである。
【００４８】
本発明の底質泥土回収方法は、底質泥土が堆積している区域に限定して実施することが可能で、底質泥土の堆積が問題とならない区域には影響しない。また、脱水処理したあとに薬品等の処理材で処理した排水を水中に戻すこともないので、周辺の生物環境を変化させる度合いが極めて小さく、有用な微生物や動植物がそのまま維持され、漁場等の生産性が持続されることによる経済効果が大きいものである。
【発明を実施するための最良の形態】
【００４９】
（１）底質泥土回収装置の概要（請求項１〜９に関連）
（1-1）全体構成
先ず、第１発明である底質泥土回収装置の各実施例に共通する部分について説明する。尚、本底質泥土回収装置は、後述する第２発明である底質泥土回収方法に好適に用いられる。
図１は、水底の地盤表面上に堆積した底質泥土２２を回収する底質泥土回収装置１の全体構成図である。主たる構成要素は、スパッド１１と、台船２と、クレーン３と、作業台５と、ケーシングパイプ４と、ケーシング回転掘削機６である。
図１を参照する。台船２は、底質泥土回収装置１を水上に設置するための固定足場として用いられる。台船２の船体後部には、水底地盤に対する固定用支柱であるスパッド１１が装備される。スパッド１１は、必要な支持力に応じて２〜４基が用いられ、昇降装置により鉛直方向上下に移動可能である。主要な作業を行うための作業台５が、台船２の一部として連設され、作業台５には、中空管であるケーシングパイプ４が設置される。作業台５は、ケーシングパイプ４を建て込み可能とする強度を確保すべく形鋼等を組み合わせて張り出し形成されている。台船２上にはクレーン３が搭載されている。クレーン３は、ケーシングパイプ４の建て込みの際にケーシングパイプ４を吊り込んだり、建て込まれたケーシングパイプ４の内部の土砂を掘削し取り出し又は埋め戻す際にハンマーグラブ（図３６及び図４０の符号８参照）を取り付けて作業したりする能力を具備する。
【００５０】
作業台５上には、ケーシングパイプ４を支持すると共に軸周りの回転及び上下移動を行わせるべく駆動可能なケーシング回転掘削機６もまた設置固定されている。ケーシングパイプ４は、ケーシング回転掘削機６に連結されることにより支持され、ケーシング回転掘削機６及び作業台５を貫通して建て込まれる。ケーシング回転掘削機６は、例えば、公知技術として普及している内直径３ｍのケーシングパイプ４に対応する機種を選択し、作業台５に設置固定する。
【００５１】
また、台船２から、円形の外郭形状をもつ回収扇部９が昇降可能に吊り下げられている。回収扇部９は、ケーシングパイプ４を貫通させた状態にて作業台５から吊下げ可能である。
【００５２】
（1-2）ケーシングパイプ及び回収扇部の概要
図２は、本発明の主要な構成要素であるケーシングパイプ４及び回収扇部９の部分の概要を示す側面図である。ケーシングパイプ４の軸方向の中間部分には、底質泥土を回収するための回収口部４０が設けられる。回収口部４０の実施例として、後述する「シャッター型」と「スリット型」の２種があるが、図２ではシャッター型のものを示している。
【００５３】
回収扇部９は、ケーシングパイプ４を貫通させた状態にて台船２から吊りワイヤーにより昇降可能に吊下げられている。回収扇部９はケーシングパイプ４の外周面上に着脱可能な固定手段を具備することにより、ケーシングパイプ４に固定された状態でケーシングパイプ４と共に回転及び軸方向移動することが可能となる。この回収扇部９の動作により地盤表面上の底質泥土をケーシングパイプ４へ向かって掻き寄せる。回収扇部９をケーシングパイプ４へ固定するための固定手段の実施例として、後述する「くさび固定式」と「エア固定式」の２種があり、詳細は後述する。
【００５４】
（２）回収口部の構成
（2-1）シャッター型回収口部（請求項１に関連）
シャッター型回収口部４０には、後述する回収扇部９の２種類の固定手段（くさび固定式又はエア固定式）のいずれと組み合わせるかによって部分的に構成が異なる２つの変形態様がある。以下、各態様について説明する。
【００５５】
（2-1-1）シャッター型回収口部とくさび固定式回収扇部を組み合わせる場合（請求項３に関連）
図３〜図６は、くさび固定式回収扇部と組み合わせる場合のシャッター型回収口部の一実施例を示す構成図である。図３は、回収口部４０の展開図である。図３に示す通り、ケーシングパイプ４は、その軸方向中間部分（長さを二等分する中央部分の意味ではない）に回収口部４０を具備する。この回収口部４０は、中空管であるケーシングパイプ４の内部空間と外部空間を遮断する閉状態と、連通させる開状態とを、ケーシング回転掘削機６による軸周りの回転駆動により切り替え可能である。具体的構成は、次の通りである。
【００５６】
ケーシングパイプ４は、上下に分離された下部ケーシングパイプ４Ａと上部ケーシングパイプ４Ｂから構成される。尚、下部ケーシングパイプ４Ａと上部ケーシングパイプ４Ｂは、それぞれが相当の長さを要するので、通常は適宜の長さの短いブロックを連結して形成する。下部ケーシングパイプ４Ａの上端には上端部４Ａ１が上方に突出する状態で溶着固定される。上端部４Ａ１は、上部ケーシングパイプ４Ｂの下端に設けた下端部４Ｂ１に対し下方から回動自在に嵌合されている。上端部４Ａ１と下端部４Ｂ１を嵌合することにより、上下に分離したケーシングパイプ４の分離領域に二重管構造部分が形成される。この部分では、上端部４Ａ１が内管となり下端部４Ｂ１が外管となる。すなわち二重管構造部分では、上端部４Ａ１の外周面と下端部４Ｂ１の内周面とを互いに摺動させつつ相対的に回動可能である。回収口部４０は、この二重管構造部分に形成される。上端部４Ａ１には、周方向に等間隔をもって複数のシャッター孔４Ａ２が開口される。一方、下端部４Ｂ１にも、複数のシャッター孔４Ａ２の各々に対応する位置をもって同寸法の複数のシャッター孔４Ｂ２が開口されている。
【００５７】
さらに、上部ケーシングパイプ４Ｂの下端部４Ｂ１の前後面にはそれぞれ、シャッター孔４Ｂ２の下方位置に切欠き４Ｂ３が形成される。一方、下部ケーシングパイプ４Ａの上端部４Ａ１の前後面にもそれぞれ、切欠き４Ｂ３に嵌め合わせるよう突起４Ａ３が突設されている。切欠き４Ｂ３は、シャッター孔４Ｂ２の幅と突起４Ａ３の幅の和に若干の余裕を持たせた有効可動幅をもつ。突起４Ａ３と切欠き４Ｂ３は、下部ケーシングパイプ４Ａと上部ケーシングパイプ４Ｂを（すなわち上端部４Ａ１と下端部４Ｂ１を）軸周りに相対的に回動させたときにシャッター孔４Ａ２と４Ｂ２により形成される回収口部４０を開状態または閉状態で停止させるための手段であり、この機能に適合する位置に設けられている。
【００５８】
図４Ａ及び図４Ｂは、ケーシングパイプ４のシャッター孔４Ａ２、４Ｂ２の断面図を示す。図４Ａに示す回収口部の閉状態では、シャッター孔４Ａ２と４Ｂ２とが周方向においてずれた位置にあり、ケーシングパイプ４の内部空間と外部空間とが遮断される。一方、図４Ｂに示す回収口部の開状態では、シャッター孔４Ａ２と４Ｂ２とが周方向において同位置にあり、ケーシングパイプ４の内部空間と外部空間とが両シャッター孔を介して連通する。
【００５９】
一例として、ケーシングパイプ４は、内直径３ｍのものを使用する。地盤中への貫入深度（地盤表面からケーシングパイプ４の下端までの距離）を１４ｍとした場合、ケーシングパイプ４の下端から１３ｍ（貫入深度−１ｍ）の位置でケーシングパイプ４を上下に分離し、下部ケーシングパイプ４Ａの上端に長さ３ｍの上端部４Ａ１を溶着固定し、上部ケーシングパイプ４Ｂの下端に長さ３ｍの下端部４Ｂ１を設ける。これにより、分離位置から上方へ長さ３ｍの部分が二重管構造部分となる。二重管構造部分においては、下部ケーシングパイプ４Ａの上端部４Ａ１と、上部ケーシングパイプ４Ｂの下端部４Ｂ１とが嵌合している。
【００６０】
さらに、上部ケーシングパイプ４Ｂの下端から１ｍ程度上方に、所定の幅及び高さをもつシャッター孔４Ａ２、４Ｂ２の下辺が位置するように、複数のシャッター孔を等間隔に穿設する。シャッター孔の幅は、土質によらずに適用可能な寸法として５０ｃｍ程度が好適であるが、砂質土や粘性土の場合はこれより幅を狭くしてもよい。いずれにしてもこれらの数値に限定しない。また、シャッター孔の高さは例えば１ｍ程度であるが、この数値に限定しない。隣り合うシャッター孔４Ｂ２同士の間隔は例えば６８ｃｍ程度である。尚、貫入深度まで貫入したときに各シャッター孔の下辺が地盤表面位置となるように位置を設定する。またさらに、シャッター孔４Ｂ２の下方の少し離れた位置にて、下端部４Ｂ１に対し高さ２０．５ｃｍで有効可動幅７５ｃｍの切欠き４Ｂ３を形成する。この切欠き４Ｂ３に嵌め合わせるように、上端部４Ａ１に対し切欠き４Ｂ３の高さより少し小さい高さ２０ｃｍで幅２０ｃｍの鋼材の突起４Ａ３を溶着若しくはボルトナット等により取り付ける。従って、上記の切欠き４Ｂ３の有効可動幅７５ｃｍは、シャッター孔幅５０ｃｍ＋突起幅２０ｃｍ＋余裕５ｃｍから算出されたものである。
【００６１】
上記の例において、突起４Ａ３の溶着位置ないしは取付位置は、下部ケーシングパイプ４Ａと上部ケーシングパイプ４Ｂとが相対的に５５ｃｍだけ回動可能なように、図５Ａに示す回収口部４０の閉状態で切欠き４Ｂ３の一方の側辺に突起４Ａ３の一方の側辺が当接して停止する位置とする。図５Ａに示す回収口部４０の閉状態は、上部ケーシングパイプ４Ｂすなわち下端部４Ｂ１を図５Ａの矢印の方向に回転させることにより実現される。図５Ｂに示す回収口部４０の開状態では、切欠き４Ｂ３の他方の側辺に突起４Ｂ３の他方の側辺が当接して停止する。図５Ａの閉状態から図５Ｂの開状態へ移行させる場合には、上部ケーシングパイプ４Ｂすなわち下端部４Ｂ１を図５Ｂの矢印の方向に回転させることにより実現される。
【００６２】
ケーシングパイプ４の全長は、下部ケーシングパイプ４Ａを地盤中に１４ｍ貫入した状態で、上部ケーシングパイプ４Ｂの上端がケーシング回転掘削機６の上部よりも数メートルだけ上に位置する長さとなるように水深を考慮して決定する。
【００６３】
図６は、図３〜図５Ｂに示したシャッター型回収口部を具備するケーシングパイプ４を、地盤２０中の貫入深度まで建て込んだ状態のケーシングパイプ４の先端部分の断面図である。図示の例では、回収口部４０は閉状態である。ケーシングパイプ４内には、被覆層２０ｂを形成する土砂供給に用いるトレミー管１０が挿入されている。トレミー管１０は、後述する第２発明の底質泥土回収方法の第７工程で好適に用いられる。ここで、トレミー管１０について説明すると、例えばケーシングパイプ４の内直径よりもやや小さい外直径をもち上部ケーシングパイプ４Ａとほぼ同じ長さのパイプであって、その上端が上方に開いた円錐状の環を取付けた漏斗状に形成されたものを使用する。重量を軽減し、取扱いを容易にするために、剛性のパイプ部分を１ｍ程度として、その下端に高強度シート材等で形成した地盤表面に達する長さの筒状のホースを連結してもよい。連結するホースは、トレミー管のパイプ下端近傍の外周になまし鉄線等で締付けて装着する。
【００６４】
（2-1-2）シャッター型回収口部とエア固定式回収扇部を組み合わせる場合（請求項４に関連）
図７〜図９は、エア固定式回収扇部と組み合わせる場合のシャッター型回収口部の一実施例を示す構成図である。図７は、回収口部４０の展開図である。図７の回収口部４０は、図３の回収口部４０と比較してエア配管孔４Ｂ５を具備する点以外は、共通する。すなわち、シャッター孔の開閉機構は共通である。
【００６５】
エア配管孔４Ｂ５は、後述する図２７に示すエア固定式回収扇部９のエア配管９Ｃ８を通すための孔である。エア配管孔４Ｂ５は、上部ケーシングパイプ４Ｂにおいてシャッター孔４Ｂ２の上辺から所定の距離だけ上方に周方向に等角度間隔で複数穿設されている。エア配管孔４Ｂ５の個数は、必要なエア配管の数に応じて適宜設定される。エア配管孔４Ｂ５の下辺とシャッター孔４Ｂ２の上辺の間のケーシングパイプ４の外周面上に回収扇部９が固定されることとなる。詳細は後述する。
【００６６】
図８は、ケーシングパイプ４のエア配管孔４Ｂ５の部分の断面を示す図である。
【００６７】
図９は、図７及び図８に示したシャッター型回収口部を具備するケーシングパイプ４を、地盤２０中の貫入深度まで建て込んだ状態のケーシングパイプ４の先端部分の断面図である。図示の例では、回収口部４０は閉状態である。エア配管孔４Ｂ５を具備する以外は、図６の構成と共通する。
【００６８】
（2-2）スリット型回収口部（請求項２に関連）
スリット型回収口部４０についても、後述する回収扇部９の２種類の固定手段（くさび固定式又はエア固定式）のいずれと組み合わせるかによって部分的に構成が異なる２つの変形態様がある。以下、各態様について説明する。
【００６９】
（2-2-1）スリット型回収口部とくさび固定式回収扇部を組み合わせる場合（請求項３に関連）
図１０及び図１１は、くさび固定式回収扇部と組み合わせる場合のスリット型回収口部４０の一実施例を示す斜視図である。図１０に示すスリット型回収口部４０を具備するケーシングパイプ４は、前述のシャッター型回収口部のものとは異なり回収口部で上下に分離された構造ではなく、１本のパイプである。図１０の回収口部４０には、ケーシングパイプ４の軸方向の中間部分において周方向に等間隔をもって複数のスリット孔４２が開口される。従って、スリット型回収口部４０は開閉機構をもたず、常時、開状態である。
【００７０】
図１１は、図１０に示したスリット型回収口部を具備するケーシングパイプ４を、地盤２０中の貫入深度まで建て込んだ状態のケーシングパイプ４の先端部分の断面図である。スリット回収口部４０は常に開状態である。回収口部４０以外の構成は、前述の図６と同様である。
【００７１】
（2-2-2）スリット型回収口部とエア固定式回収扇部を組み合わせる場合（請求項５に関連）
図１２〜図１５は、エア固定式回収扇部と組み合わせる場合のスリット型回収口部の一実施例を示す構成図である。図１２に示すスリット型回収口部４０を具備するケーシングパイプ４は、図１０の回収口部４０と比較してエア配管孔４５を具備する点以外は、共通する。
【００７２】
エア配管孔４５は、後述する図２７に示すエア固定式回収扇部９のエア配管９Ｃ８を通すための孔である。エア配管孔４５は、スリット孔４２の上辺から所定の距離だけ上方に周方向に等角度間隔で複数穿設されている。エア配管孔４５の個数は、必要なエア配管の数に応じて適宜設定される。エア配管孔４５の下辺とスリット孔４２の上辺の間のケーシングパイプ４の外周面上に回収扇部９が固定されることとなる。詳細は後述する。
【００７３】
図１３は、図１２のＡ断面図であり、ケーシングパイプ４のエア配管孔４５の断面を示す。
【００７４】
図１４は、図１２のＢ断面図であり、ケーシングパイプ４のスリット孔４２の断面を示す。
【００７５】
図１５は、図１２〜図１４に示したスリット型回収口部を具備するケーシングパイプ４を、地盤２０中の貫入深度まで建て込んだ状態のケーシングパイプ４の先端部分の断面図である。エア配管孔４５を具備する以外は、図９の構成と共通する。
【００７６】
（３）先端キャップ部の構成（請求項８、９に関連）
図１６〜図１９は、ケーシングパイプ４の下端に装着して用いる先端キャップ部７の構成図である。先端キャップ部７は、ケーシングパイプ４を底質泥土表面から地盤表面まで降下させる工程で使用され、主としてケーシングパイプ４の下端から内部への底質泥土の侵入防止用に取り付けられる。従って、先端キャップ部７は、ケーシングパイプ４の下端に着脱自在に装着される。
【００７７】
図１６は、先端キャップ部７の側面図である。図１７は、図１６のＣ−Ｃ矢視図である。先端キャップ部７は、下側部分の先端キャップ７Ａと、上側部分の支持固定手段とから構成される。下側部分の先端キャップ７Ａは、ケーシングパイプ４の内直径よりやや短い直径をもつ円盤７Ａ１と、円盤７Ａ１の下面を底面として連設された円錐体７Ａ２と、円錐体の表面に突設された複数の螺旋状の泥土掻き出し突条７Ａ３とから構成されている。
【００７８】
上側部分の支持固定手段は、円盤７Ａ１の上面中心部から上方に延びる円柱状のシリンダ固定フレーム７Ｂ１と、シリンダ固定フレーム７Ｂ１の外周上から径方向外側へ延びる３本のシリンダ７Ｂ２と、各シリンダ７Ｂ２の先端から突出するアームに取り付けられた固定脚７Ｂ３とを有する。シリンダ７Ｂ２はシリンダ固定フレーム７Ｂ１の周方向に等角度間隔で配置されている。シリンダの数は３本に限られず、複数のシリンダが対称的に配置されていればよい。各シリンダ７Ｂ２に対して気体若しくは液体の媒体を一対の供給管７Ｂ５から供給することにより、シリンダ７Ｂ２から突出するアームが前進後退するように駆動する。これにより固定脚７Ｂ３も前進後退することができる。一対の供給管７Ｂ５は、ロータリージョイント７Ｂ４へ接続されている。各固定脚７Ｂ３を構成するプレートは、ケーシングパイプ４の円筒内面に当接可能な曲面を具備する。
【００７９】
支持固定手段はさらに、円盤７Ａ１の上面周縁３箇所から上方にそれぞれ延びる３本の支柱に支持された円環状のガイドローラフレーム７Ｃ２と、ガイドローラフレーム７Ｃ２上に等角度間隔で３箇所に取り付けられたガイドローラ７Ｃ１とを有する。各ガイドローラ７Ｃ１は、ケーシングパイプ４の内面に沿って鉛直方向に転動可能に軸支された状態で取り付けられている。
【００８０】
さらに、円盤７Ａ１の上面周縁３箇所には、先端キャップ部７を吊り下げる吊りワイヤーを接続するためのワイヤーフック７Ｄ１が設けられている。支柱、ガイドローラ及びワイヤーフックの数は３つに限られず、複数のものが対称的に配置されていればよい。
【００８１】
図１８は、先端キャップ部７をケーシングパイプ４の下端に装着した状態を示す一部切り欠き側面図である。図１９は、図１０のＢ−Ｂ矢視図である。先端キャップ部７は、３箇所のワイヤーフック７Ｄ１に接続された３本の吊りワイヤー７Ｄ２と、これら３本の吊りワイヤー７Ｄ２を集束して接続したスイベルジョイント７Ｄ３に接続された１本の吊りワイヤー７Ｄ４とにより、ケーシングパイプ４内で水平に吊り下げられている。先端キャップ部７をケーシングパイプ４の下端に装着する際には、先端キャップ部７をケーシングパイプ４の上端から挿入し、３つのガイドローラ７Ｃ１をケーシングパイプ４の内面に当接させつつ降下させる。これにより先端キャップ部７は、ケーシングパイプ４と同軸状態を保持しつつ下降する。先端キャップ部７をケーシングパイプ４の下端の所定位置まで降下させたならば、媒体の供給管７Ｂ６からロータリジョイント７Ｂ４を介して各シリンダ７Ｂ２への供給管７Ｂ５へ媒体を供給する。これにより各シリンダ７Ｂ２のアームを前進させて各固定脚７Ｂ３をケーシングパイプ４の内面へ押圧することにより、先端キャップ部７を固定する。
【００８２】
先端キャップ部７は、このように押圧固定されることにより、ケーシングパイプ４と一体化され、ケーシングパイプ４の回転に伴って回転することができる。先端キャップ７Ａの円錐体７Ａ２に設けた泥土掻き出し突条７Ａ３は、先端キャップ部７を底質泥土の層中で一方向に回転させたときに底質泥土を周囲に押しやりケーシングパイプ４の外周へ向けて掻き出す作用がある。この底質泥土の掻き出しは、ケーシングパイプ４を徐々に降下させつつ緩やかに回転させることにより、底質泥土を巻き上げたり攪拌したりすることなく行うことができる。
【００８３】
図１８において、下部ケーシングパイプ４Ａの下端面には切削刃４Ｆが形成されており、ケーシングパイプ４Ａを回転させつつ地盤中に建て込む際に地盤を切削する機能をもつ。
【００８４】
（４）回収扇部の構成
回収扇部９は、ケーシングパイプ４の外周面上に着脱可能な固定手段を具備すると共に、固定状態においてケーシングパイプ４が駆動されると、ケーシングパイプ４と共に回転及び軸方向移動しつつ地盤表面上の底質泥土を掻き寄せる作業を行う。回収扇部９をケーシングパイプ４の外周面に固定する固定手段として、くさび固定式と、エア固定式の２種がある。
【００８５】
（4-1）くさび固定式回収扇部（請求項３に関連）
図２０Ａは、くさび固定式回収扇部９をケーシングパイプ４の外周面に固定した状態を示す概略的な断面図である。図２０Ｂは、くさび固定式回収扇部９の固定を解除した状態の概略的な部分断面図である。回収扇部９は、ケーシングパイプ４を貫通させた状態で台船２から吊りワイヤ−９Ａ１により吊り下げられ、固定されていない状態ではケーシングパイプ４に対して昇降自在である。
【００８６】
回収扇部９の下半分には、底質泥土を中心へ向かって掻き寄せるべく放射状に延びる複数の羽根板９Ｄ２が設けられる。複数の羽根板９Ｄ２の面は平面若しくは湾曲面であるが、いずれの場合も水平面に対して垂直である。天板９Ｄ１１は、複数の羽根板９Ｄ２の上縁部を支持すると共にケーシングパイプ４のための貫通孔９Ｄ３を設けている。天板９Ｄ１１の周縁は円形であり、この周縁から下方に延び複数の羽根板９Ｄ２の先端部を支持する円筒側板９Ｄ１２が設けられる。
【００８７】
くさび固定式の固定手段においては、羽根板９Ｄ２の天板９Ｄ１１の上面に円環壁９Ｂ１１が立設されている。円環壁９Ｄ１１は、ケーシングパイプ４と同軸に設置される。円環壁９Ｄ１１の内側に周方向に等角度間隔で複数の固定手段が配置されている。各固定手段は同じ構造を具備する。図２０Ａの例では、９０度間隔で４個の固定手段が配置されており、それらのうち互いに対向する２個の固定手段が現れている。各固定手段は、挟持板９Ｂ３を具備する。挟持板９Ｂ３は、ケーシングパイプ４の外周面を押圧可能な面をもつ。各固定手段の挟持板９Ｂ３がそれぞれケーシングパイプ４の軸中心へ向かってケーシングパイプ４の外周面を押圧することにより、回収扇部９を固定状態とする。以下、個々の固定手段の具体的機構を説明する。
【００８８】
各固定手段は、２つのくさびを組み合わせて用いる。１つは、円環壁９Ｂ１１の内面に沿って上下移動可能な上下動くさび９Ｂ７であり、もう１つは、円環壁９Ｂ１１の径方向に水平移動可能な水平動くさび９Ｂ６である。上下動くさび９Ｂ７の上下移動を制止するための制止手段が設けられている。図示の例では、制止手段は、くさび調節ねじ９Ｂ５である。くさび調節ねじ９Ｂ５は、固定部上板９Ｂ１０の貫通ねじ孔と螺合してねじ込まれ、その先端が上下動くさび９Ｂ７の上面に当接する。くさび調節ねじ９Ｂ５をねじ込むことにより、くさび調節ねじ９Ｂ５の先端の上下方向位置が変化する。従って、くさび調節ねじ９Ｂ５をねじ込むと、上下動くさび９Ｂ７の位置が下がり、くさび調節ねじ９Ｂ５を緩めると、上下動くさび９Ｂ７の位置が上がる。このようにくさび調節ねじ９Ｂ５は、上下動くさび９Ｂ７の上下移動を制止して上下方向の所定位置に固定する機能がある。
【００８９】
一方、水平動くさび９Ｂ６は、上下動くさび９Ｂ７と互いに傾斜面にて当接する。従って、上下動くさび９Ｂ７の位置が下がると、水平動くさび９Ｂ６は、径方向に中心に向かって移動する。また、上下動くさび９Ｂ７の位置が上がると、水平動くさび９Ｂ６は、径方向外側に向かって移動可能となる。水平動くさび９Ｂ６の中心側と挟持板９Ｂ３の背面とは、連結手段である連結ロッド９Ｂ２により連結されている。これにより、水平動くさび９Ｂ６と挟持板９Ｂ３は径方向に一体的に水平移動する。
【００９０】
さらに、連結ロッド９Ｂ２の周囲に配設されている弾性手段である解除スプリング９Ｂ４は、水平動くさび９Ｂ６と固定部内壁９Ｂ１２との間に保持されているので、常時、水平動くさび９Ｂ６を円環壁９Ｂ１１の径方向外側へと付勢している。これにより水平動くさび９Ｂ６が、上下動くさび９Ｂ７の傾斜面を径方向外側へ押圧するため、図示の例では、上下動くさび９Ｂ７は常時上方へ変位するような力を受けている。同時に、挟持板９Ｂ３もまた径方向外側へ引っ張られている。
【００９１】
斯かる構成の固定手段において、回収扇部９をケーシングパイプ４に固定する際には、制止手段であるくさび調節ねじ９Ｂ５の上下方向の位置を、解除スプリング９Ｂ４による弾性力に抗する方向（図示の例では下方）に移動させる。すると、これに伴って上下動くさび９Ｂ７が上下移動（図示の例では下方）する。これによって水平動くさび９Ｂ６が径方向内側へ移動することにより、連結ロッド９Ｂ２を介して挟持板９Ｂ３がケーシングパイプ４の外周面を押圧することとなる。周方向に等角度間隔で配置された複数の固定手段の各挟持板がそれぞれケーシングパイプ４の外周面を押圧することにより、回収扇部９はケーシングパイプ４の外周面へ固定される。
【００９２】
図２０Ｂに示す解除状態とする際には、くさび調節ねじ９Ｂ５の上下方向の位置を、解除スプリング９Ｂ４による弾性力に沿う方向（図示の例では上方）に移動させる。すると、これに伴って上下動くさび９Ｂ７が上下移動（図示の例では上方）する。これによって水平動くさび９Ｂ６が径方向外側へ移動することにより、連結ロッド９Ｂ２を介して挟持板９Ｂ３がケーシングパイプ４の外周面から引き離されることとなる。こうして、回収扇部９の固定状態が解除される。
【００９３】
図２１は、図２０Ａの回収扇部９の全体斜視図である。羽根板は天板９Ｄ１１と円筒側板９Ｄ１２に囲まれ収容されている。天板９Ｄ１１の上面から円環壁９Ｂ１１が上方に立設されて、円環壁９Ｂ１１の内側に固定手段が配設されている。円環壁９Ｂ１１の上は固定部上板９Ｂ１０で覆われている。固定部上板９Ｂ１０の４隅には、吊りワイヤーの下端を接続するための吊りワイヤーフック９Ａ２が設けられる。固定部上板９Ｂ１０の中心にもケーシングパイプ４を貫通させる貫通孔がある。固定部内壁９Ｂ１２は、ケーシングパイプ４の貫通孔を囲むように立設している。固定部内壁９Ｂ１２を貫通して各挟持板９Ｂ３が突出しており、その押圧面を見ることができる。
【００９４】
図２２は、図２０Ａの矢印Ａの方向から見た回収扇部９を部分的に示しているすなわち、回収扇部９を斜め下方側から見た図でなる。天板９Ｄ１１と円筒側板９Ｄ１２は、複数の羽根板９Ｄ２のケースの役割を果たしている。図２２に示す通り、各羽根板９Ｄ２は、円筒側板９Ｄ１２の高さより少し短い寸法の幅を有する板で構成される。枚数は適宜である（図示の例では４枚）。各羽根板９Ｄ２の上縁部は天板９Ｄ１１の下面に連結固定されることにより支持される。また、各羽根板９Ｄ２の放射状に延びる先端部は、円筒側板９Ｄ１２に連結固定されることにより支持される。各羽根板９Ｄ２は、回収扇部の回転方向（矢印）の進行方向側の面が凹面となるように湾曲した形状に成形されていることが好適であるが、別の実施例では平面形状であってもよい（請求項６に関連）。
【００９５】
一例では、回収扇部９は鋼材からなり、天板９Ｄ１１の周縁直径１０ｍ、円筒側板９Ｄ１２の高さ１５ｃｍとする。羽根板９Ｄ２は、高さ１４ｃｍとする。
【００９６】
図２３及び図２４は、くさび固定式回収扇部の別の実施例を示す図である（請求項７に関連）。この例では、羽根板９Ｄ２の上縁部を支持する天板９Ｄ１１の形状が、図２０Ａの例との相違点である。図２３の断面図に示す通り、天板９Ｄ１１は、径方向外側へ向かって漸次下降する傾斜を具備する。これは、例えば円すい台の側面形状に相当する。尚、羽根板９Ｄ２の上縁部も天板９Ｄ１１の形状に沿った形となる。このように、天板９Ｄ１１の中心部が盛り上がった形状とすると、後述する底質泥土回収方法の第５工程における底質泥土の回収能力が、図２０Ａの平板形状のものより高い。図２４は、図２３の回収扇部９の全体斜視図である。
【００９７】
くさび固定式回収扇部９は、前述の通り、シャッター型及びスリット型のいずれの回収口部を具備するケーシングパイプにも固定可能である。
【００９８】
（4-2）エア固定式回収扇部（請求項４、５に関連）
図２５は、エア固定式回収扇部９をケーシングパイプ４の外周面に固定した状態を示す概略的な断面図である。回収扇部９は、ケーシングパイプ４を貫通させた状態で台船２から吊りワイヤ−９Ａ１により吊り下げられ、固定されていない状態ではケーシングパイプ４に対して昇降自在である。
【００９９】
回収扇部９の下半分の構造は、図２０Ａに示したくさび固定式回収扇部と共通する。すなわち、底質泥土を中心へ向かって掻き寄せるべく放射状に延びる複数の羽根板９Ｄ２が設けられる。複数の羽根板９Ｄ２の面は平面若しくは湾曲面であるが、いずれの場合も水平面に対して垂直である。天板９Ｄ１１は、複数の羽根板９Ｄ２の上縁部を支持すると共にケーシングパイプ４のための貫通孔９Ｄ３を設けている。天板９Ｄ１１の周縁は円形であり、この周縁から下方に延び複数の羽根板９Ｄ２の先端部を支持する円筒側板９Ｄ１２が設けられる。
【０１００】
エア固定式の固定手段においては、羽根板９Ｄ２の天板９Ｄ１１の上面に円環壁９Ｂ１１が立設されている。円環壁９Ｄ１１は、ケーシングパイプ４と同軸に設置される。円環壁９Ｄ１１の内側に周方向に等角度間隔で複数の固定手段が配置されている。各固定手段は同じ構造を具備する。図２５の例では、１８０度間隔で２個の固定手段が配置されている。各固定手段は、挟持板９Ｃ３を具備する。挟持板９Ｃ３は、ケーシングパイプ４の外周面を押圧可能な面をもつ。各固定手段の挟持板９Ｃ３がそれぞれケーシングパイプ４の軸中心へ向かってケーシングパイプ４の外周面を押圧することにより、回収扇部９を固定状態とする。以下、個々の固定手段の具体的機構を説明する。
【０１０１】
円環壁９Ｂ１１の内面にエアシリンダ９Ｃ４が固定されている。エアシリンダ９Ｃ４の円筒ケースの基端部９Ｃ５は、円筒ケースが水平面内で揺動可能であるのように軸支されて円環壁９Ｂ１１の内面に取り付けられている。これは、回収扇部９が横振れ等した場合にも挟持板９Ｃ３が常にケーシングパイプ４の軸中心に向かって外周面を押圧することを確保するためである。エアシリンダ９Ｃ４の円筒ケース内にはエアポンプ機構が内蔵され、円筒ケース先端からは径方向に伸縮可能な連結ロッド９Ｃ２が突出する。挟持板９Ｃ３は、連結ロッド９Ｃ２の先端に取り付けられる。図示の例では、挟持板９Ｃ３が鉛直面内で揺動可能であるように連結ロッド９Ｃ２の先端により軸支されている。
【０１０２】
エアシリンダ９Ｃ４へ圧縮空気を供給するためのエア配管９Ｃ６は、エアカプラ９Ｃ７を介してさらに、ケーシングパイプ４の管内へと延びるエア配管（図示せず）へ接続される。
【０１０３】
回収扇部９をケーシングパイプ４の外周面へ固定する際には、エアシリンダ９Ｃ４に圧縮空気を供給する。これにより、連結ロッド９Ｃ２が径方向に伸長し、挟持板９Ｃ３がケーシングパイプ４の外周面を押圧する。周方向に等角度間隔で配置された複数の固定手段の各挟持板がそれぞれケーシングパイプ４の外周面を押圧することにより、回収扇部９はケーシングパイプ４の外周面へ固定される。
【０１０４】
回収扇部９を解除する際には、エアシリンダ９Ｃ４の圧縮空気を抜くことにより、連結ロッド９Ｃ２が径方向に収縮し、挟持板９Ｃ３はケーシングパイプ４の外周面から離れる。
【０１０５】
図２６は、図２５の回収扇部と同様のエア固定式回収扇部の全体斜視図である。図２６の例では、固定手段であるエアシリンダが１２０度間隔で３個配置されている。羽根板は天板９Ｄ１１と円筒側板９Ｄ１２に囲まれ収容されている。天板９Ｄ１１の上面から円環壁９Ｂ１１が上方に立設されて、円環壁９Ｂ１１の内側に固定手段が配設されている。円環壁９Ｂ１１の上は固定部上板９Ｂ１０で覆われている。固定部上板９Ｂ１０の４隅には、吊りワイヤーの下端を接続するための吊りワイヤーフック９Ａ２が設けられる。固定部上板９Ｂ１０の中心にもケーシングパイプ４を貫通させる貫通孔がある。固定部内壁９Ｂ１２は、ケーシングパイプ４の貫通孔を囲むように立設している。固定部内壁９Ｂ１２を貫通して各挟持板９Ｃ３が突出しており、その押圧面を見ることができる。
【０１０６】
ここで、図２７を参照しつつ、図２５に示したエア固定式回収扇部９の操作方法の概略を説明する。図２７に例示するケーシングパイプ４は、前述のスリット型回収口部を具備し、スリット孔４２が穿設されている。エア固定式回収扇部９もまた、シャッター型及びスリット型のいずれの回収口部とも組合せ可能である。ただし、エア固定式回収扇部９と組み合わせる場合には、ケーシングパイプ４の回収口部にエア配管孔４５を穿設する必要がある。図２７では、カプラ９Ｃ７に接続されたエア配管９Ｃ８は、ケーシングパイプ４のエア配管孔４５を通って管内へ延び、ロータリージョイント９Ｃ１０へ接続される。ロータリージョイント９Ｃ１０は、エアホース９Ｃ９に連結されている。エアホース９Ｃ９を通って圧縮空気が台船上から供給される。
【０１０７】
図２７の状態は、後述する底質泥土回収方法における第５工程における操作である。第５工程では、地盤表面上の底質泥土の回収作業を行う。第５工程の開始時点では、スリット孔４２の下辺は、底質泥土２２の表面２２ａに位置する。この状態で回収扇部９の下端が底質泥土２２の表面２２ａに到達するまで降下させる。そして、エア配管９Ｃ８と、カプラ９Ｃ７及びロータリージョイント９Ｃ１０とをそれぞれ接続する作業（潜水夫による）を行った後、圧縮空気を供給する。これにより、回収扇部９はケーシングパイプ４の外周面へ固定される。
【０１０８】
その後、ケーシングパイプ４を駆動して回転させつつ下降させる。このときケーシングパイプ４に固定された回収扇部９も回転しつつ下降する。この回転及び下降は、泥土を巻き上げない程度の緩やかな速度で行う。この回収扇部９の動作に伴い、天板９Ｄ１１と円筒側板９Ｄ１２で囲まれる円形領域内の底質泥土２２が羽根板９Ｄ２により外側から内側へと掻き寄せられる。掻き寄せられた底質泥土２２は、ケーシングパイプ４に到達すると、そのスリット孔４２を通り管内へ入る。ここで、図１５を参照すると、スリット孔４２を通りケーシングパイプ４内へ入った底質泥土２２は、ケーシングパイプ４内に形成されている掘削孔２１に落ち、掘削孔２１内に堆積する（符号２２ｂ）。このようにして、スリット孔４２の下辺が地盤表面に到達するまで下降させる。
【０１０９】
図２８は、図２７のＢ−Ｂ断面図であり、ケーシングパイプ４の管外からエア配管９Ｃ６が中心に向かって延び、カプラ９Ｃ７を経てエア配管９Ｃ８がエア配管孔４５を通り、中心に位置するロータリージョイント９Ｃ１０へ連結されている。図２９は、図２７のＣ−Ｃ断面図である。円環壁９Ｂ１１の内側に設置されたエアシリンダ９Ｃ４から中心に向かって延びる連結ロッド９Ｃ２の先端に取り付けられた挟持板９Ｃ３が、固定部内壁９Ｂ１２の孔から突出してケーシングパイプ４の外周面を押圧している。
【０１１０】
図３０及び図３１は、エア固定式回収扇部の別の実施例を示す図である（請求項７に関連）。この例は、羽根板９Ｄ２の上縁部を支持する天板９Ｄ１１の形状が、図２５の例との相違点である。図３０の断面図に示す通り、天板９Ｄ１１は、径方向外側へ向かって漸次下降する傾斜を具備する。これは、例えば円すい台の側面形状に相当する。尚、羽根板９Ｄ２の上縁部も天板９Ｄ１１の形状に沿った形となる。このように、天板９Ｄ１１の中心部が盛り上がった形状とすると、後述する底質泥土回収方法の第５工程における底質泥土の回収能力が、図２５の平板形状のものより高い。図３１は、図３０と同様の天板９Ｄ１１の形状をもつ回収扇部９の全体斜視図である。
【０１１１】
（５）底質泥土回収方法の概要
次に、図３２〜図４７を参照しつつ、第２発明である底質泥土回収方法について説明する。底質泥土回収方法には前述の底質泥土回収装置を用いるが、ケーシングパイプがシャッター型回収口部を具備するかスリット型回収口部を具備するかにより、回収方法の好適態様が一部工程において相違するので、以下、それぞれの回収口部の場合について説明する。尚、回収扇部の固定手段がくさび固定式であるかエア固定式であるかについては、工程において本質的な相違は生じない。理解し易いように、図３２にそれぞれの回収口部を用いた場合の底質泥土回収方法の各工程の流れを示す。第１〜３工程及び第８〜１０工程は、内容が共通するのでまとめて示している。第４〜７工程においては相違点がある。また、各工程に対応する図番号を付している。
【０１１２】
（６）シャッター型回収口部を具備するケーシングパイプを用いた底質泥土回収方法（請求項１０〜１３に関連）
（6-1）第１工程
図３３は、台船２及び底質泥土回収装置のセッティングを行う第１工程を模式的に示す図である。海上作業等で広く用いられる台船後部にスパッド（図１参照）を２〜４基装備した台船２を、底質泥土の除去対象領域の水面３０上まで曳航する。対象領域の水底には、地盤２０の表面２０ａ上に底質泥土２２が堆積している。底質泥土２２の表面２２ａから水面３０までは、水中または海中である。
【０１１３】
次に、台船２の後部に設置した２本のスパッドを落下させて水底の地盤２０につき立て台船２を固定する。潮汐流等により安定しない場合は台船２に装備したアンカー装置を併用して台船２が水平方向に移動しないように固定する。
【０１１４】
その後、ケーシングパイプ４をクレーン３で吊り上げ、ケーシング回転掘削機６、作業台５、及び作業台５から吊り下げられている回収扇部９を貫通する形でケーシングパイプ４の初期建て込みを行う。通常、ケーシングパイプ４の全長を一度に建て込むのではなく、適宜の長さに分割された複数のブロックを順次連結しつつ建て込み、最終的に必要な長さを得る。必要な長さまで建て込んだならば、ケーシング回転掘削機６によりケーシングパイプ４を一旦固定する。
【０１１５】
図３３に示すように、ケーシングパイプ４の初期建て込み工程の任意の段階において、ケーシングパイプ４の下端からの泥土侵入を防止するために先端キャップ部７を装着する。例えばケーシングパイプ４の最初のブロックを建て込んだ後、先端キャップ部７をクレーン３で吊り下げてケーシングパイプ４の上端から管内に挿入し降下させる。図１８示したように、先端キャップ部７にはケーシングパイプ４の内面に沿って鉛直方向に転動するローラが設けられているので、ケーシングパイプ４と同軸状態を保持したまま降下させることができる。
【０１１６】
先端キャップ部７が、ケーシングパイプ４の下端の所定位置まで達したならば、図１８で示したように、油圧等によりシリンダを作動させ固定脚をケーシングパイプ４の内面へ押圧することにより、先端キャップ部７をケーシングパイプ４に固定する。尚、ケーシングパイプ４の下端近傍内面側に、先端キャップ部７の通過防止にストッパ突起等を溶接等により取付けておくことが好ましい。
【０１１７】
先端キャップ部７をケーシングパイプ４に固定した後、ケーシングパイプ４を必要な長さとなるまで建て込む。必要な長さまでケーシングパイプ４を建て込んだならば、ケーシング回転掘削機６により、先端キャップ部７が底質泥土２２の表面２２ａに到達するまでケーシングパイプ４を降下させる。ケーシング回転掘削機６によるケーシングパイプ４の固定手段は、クサビやバンドを用いた種々のものがあるが、いずれでもよい。
【０１１８】
（6-2）第２工程
図３４は、ケーシングパイプ４の下端を底質泥土表面２２ａから地盤表面２０ａまで降下させる第２工程を模式的に示す図である。ケーシング回転掘削機６によりケーシングパイプ４をゆっくり回転させながら、ケーシングパイプ４の下端が地盤表面２０ａに到達するまで徐々に降下させる。このとき、先端キャップ部７が回転することにより、その円錐体に設けた泥土掻き出し突条が、堆積した底質泥土２２をケーシングパイプ４の外周方向に掻き出す。これにより、底質泥土２２を不用意に攪拌することなくケーシングパイプ４の周囲に排斥する。
【０１１９】
（6-3）第３工程
図３５は、先端キャップ部７を取り外し回収する第３工程を模式的に示す図である。図１８で示したように、先端キャップ部７のシリンダを収縮させることにより固定脚をケーシングパイプ４から離脱させ、先端キャップ部７を解放する。その後、吊りワイヤを引き上げて先端キャップ部７をケーシングパイプ４の上端から取り出し、台船２上に回収する。
【０１２０】
（6-4）第４工程
図３６は、ケーシングパイプ４の貫入工程及びケーシングパイプ４の内部土砂の掘削工程を含む第４工程の前半を模式的に示す図である。ケーシング回転掘削機６によりケーシングパイプ４をシャッター孔４Ｂ２が閉状態となる方向に回転させつつ、ケーシング回転掘削機６の昇降動作の１ストローク分に相当する長さだけケーシングパイプ４を下降させ、地盤２０中へ貫入させる。このとき図１８に示したケーシングパイプ４の下端に設けた切削刃により地盤２０を切削しつつ貫入することができる。貫入したケーシングパイプ４の内部には地盤２０を形成する土砂が詰まっている。次に、ケーシングパイプ４の上端からクレーン３で吊り上げたハンマーグラブ８を管内に挿入下降させ、内部土砂を掘削し、掘削した土砂を把持したまま引き上げ、ケーシングパイプ４から取り出す。ハンマーグラブ８は、例えば、広く普及している公知技術または製品の中から、ケーシングパイプ４の内直径（例えば３ｍ）と、搭載したクレーン３の能力に適合するものを選択する。
【０１２１】
このケーシングパイプ４の貫入と内部土砂の掘削取り出し作業を、シャッター孔４Ｂ２の下辺が地盤表面２０ａに到達するまで繰り返す。シャッター孔４Ｂ２の下辺が地盤表面２０ａに到達したときのケーシングパイプ４の貫入深度は、前述の底質地盤回収装置で示した一実施例の場合、地盤表面２０ａから１４ｍの深さとなる。この作業後、ケーシングパイプ４の下端から地盤表面２０ａまでの管内には、土砂を除かれた掘削孔２１の空間が形成されている。シャッター孔４Ｂ２は、この時点では未だ閉状態である。すなわち、ケーシングパイプ４の貫入時の回転方向はシャッター孔を閉状態に維持可能な方向とする（図５Ａ参照）。
【０１２２】
図３７は、ケーシングパイプ４の所定位置までの引き上げ工程を含む第４工程の後半を模式的に示す図である。ケーシングパイプ４の貫入及び内部土砂掘削取り出しの完了後、シャッター孔４Ｂ２の下辺が底質泥土表面２２ａに到達するまでケーシングパイプ４を引き上げる（矢印方向）。この結果、ケーシングパイプ４の下端は、掘削孔２１の下端より引き上げられる。
【０１２３】
（6-5）第５工程
図３８は、回収扇部９により底質泥土を回収する第５工程を模式的に示す図である。先ず、作業台５の下方に吊り上げていた回収扇部９を、ケーシングパイプ４に沿って吊り降ろす。回収扇部９の非作業時の状態は、回収扇部９がケーシングパイプ４に固定されておらず昇降自在である。回収扇部９に連結された吊りワイヤーを繰り出して降下させ、回収扇部９の下端が底質泥土表面２２ａ近傍に到達した時点で停止させる。続いて、回収扇部９をケーシングパイプ４の外周面に対して固定する。くさび固定式であれば、水平動くさびを移動させ挟持板によりケーシングパイプ４の外周面を押圧する。くさび調節ねじの操作は潜水夫が行う。エア固定式であれば、圧縮空気を供給してエアシリンダを伸長させ挟持板によりケーシングパイプ４の外周面を押圧する。エア配管の連結操作は潜水夫が行う。回収扇部９の固定を完了したならば、回収扇部９の連結していた吊りワイヤーを取り外す。この作業も潜水夫が行う。
【０１２４】
次に、 ケーシング回転掘削機６によりケーシングパイプ４を貫入時とは反対方向に回転させる。上部ケーシングパイプ４Ｂを反転させる距離は、シャッター孔４Ｂ２の幅と突起４Ａ３の幅の和に若干の余裕を持たせた長さ（一実施例では７５ｃｍ）である。これによりシャッター孔４Ａ２、４Ｂ２で形成される回収口部が開状態となる（図５Ｂ参照）。
【０１２５】
続いて、回収口部が開状態となる方向にケーシングパイプ４を回転させつつ、降下させる（実線矢印）。固定状態の回収扇部９もまた回転しつつ降下することとなる。回転及び降下の速度は、底質泥土２２を攪乱しない程度に設定する。図３８では回収扇部９の天板９Ｄ１１が平板形状であるが、さらに好適な形状では、天板の中心近傍が高く周縁が低くなるよう傾斜を設けている。好適形状の場合、回収扇部９を降下させると、その下方の底質泥土２２には回収扇部９を降下させた反力として上向きの力がかかり上昇する。そして、底質泥土２２が羽根板によりかき集められ天板の下面に到達すると、天板の傾斜に沿って移動しようとする。こうして上向きの力と中心向きの力がかかることにより、回収扇部９直下の円形領域内に存在する底質泥土２２が外側から内側へとケーシングパイプ４に向かって掻き寄せられる。尚、天板９Ｄ１１に傾斜のない場合も羽根板により中心への掻き寄せ効果は得られるが、傾斜を設けた方が中心向きの力が大きくなり、効率的である。
【０１２６】
こうして、破線矢印のようにケーシングパイプ４まで掻き寄せられた底質泥土２２は、開状態のシャッター孔４Ｂ２を通ってケーシングパイプ４内に入り、掘削孔２１に落下する。このようにして、シャッター孔４Ｂ２の下辺が地盤表面２０ａに到達するまで降下させ、到達したならば降下及び回転を停止させる。この時点で、掘削孔２１内に落とし込まれた底質泥土２２ｂの表面が、地盤表面２０ａより下方に位置するように、ケーシングパイプ４の貫入深度（掘削孔２１の容積に関連）、回収扇部９の径（回収する底質泥土２２ｂの容積に関連）等を設定することが好ましい。前述の実施例においては、地盤表面２０ａより約１ｍ下方となるようにする。掘削孔２１内に落とし込まれた底質泥土２２ｂの表面から地盤表面２０ａまでの距離は、後述する第７工程で形成する被覆層の長さに相当することとなる。
【０１２７】
（6-6）第６工程
図３９は、回収扇部９を引き上げ回収する第６工程を模式的に示した図である。１つの貫入箇所における底質泥土２２の回収が終了したならば、再び回収扇部９に吊りワイヤーを連結する。この作業は潜水夫が行う。その後、吊りワイヤを巻き上げて回収扇部９を作業台５の下方近傍の初期位置まで引き上げる。
【０１２８】
（6-7）第７工程
図４０は、ケーシングパイプ４内の掘削孔に落とし込まれた底質泥土の表面を土砂で被覆する（すなわちキャッピングする）第７工程を模式的に示す図である。先ず、ケーシング回転掘削機６を再び逆に回転させることによりシャッター孔４Ａ２、４Ｂ２で形成される回収口部を閉じる。その後の被覆作業を効率よく行うためにはトレミー管１０を用いることが好適である。ケーシングパイプ４の内部にトレミー管１０を挿入し、その下端を、掘削孔（図６、図９の符号２１）に落し込まれた底質泥土（図６、図９の符号２２ｂ）の表面から例えば約１ｍ上方付近に位置させる。次に、ハンマーグラブ８または別途用意したバケットを用いて、トレミー管１０の上部から被覆材２０ｂ’である土砂を、例えば約１ｍの厚さになるまで投入して被覆層（図６、図９の符号２０ｂ）を形成した後トレミー管を引上げる。シャッター型ケーシングパイプの第７工程におけるケーシングパイプ４内部の状態は、前述の図６及び図９に示されている。
【０１２９】
第７工程の別の実施例では、シャッター孔を閉じた後、ハンマーグラブ８を用いて台船２上に用意した土砂または砂（図示せず）を掴み、ケーシングパイプ４の上端からハンマーグラブ８を挿入してケーシングパイプ４内を吊り降ろし、掘削孔に落とし込まれた底質泥土の表面付近にてハンマーグラブ８を開放して土砂または砂を底質泥土の上に落とす。その後、ハンマーグラブ８を引き上げる。これを繰り返して、例えば約１ｍの高さの被覆層を形成する。
【０１３０】
尚、被覆層の長さは、掘削孔が土砂等により充填されて周囲の地盤表面２０ａとほぼ均一な面となるように設定する。被覆材２０ｂ’として台船２上に用意する土砂または砂は、上記第４工程で掘削孔を掘削した際に取り出したものでもよく、あるいは、別途用意したものでもよい。第４工程で掘削され取り出された土砂を用いると、廃棄土砂が全く発生しないことから環境的に最も好ましい。被覆層に別途用意した砂等を用いる場合としては、例えばケーシングパイプ内を掘削した土砂が粘土質であるために水中で濁りを発生する等、周囲の環境に却って影響を及ぼすおそれがある場合がある。
【０１３１】
（6-8）第８工程
図４１は、ケーシングパイプ４を引き上げ回収する第８工程を模式的に示す図である。ケーシングパイプ４をケーシング回転掘削機６を回転させながら、上方に引き上げて各ブロックに分割し、台船２上に回収する。ケーシングパイプ４の回収後の水底には、底質泥土が除去されて地盤表面２０ａが現れた円形領域とその中心の被覆層２０ｂによりキャッピングされた掘削孔２１が残される。被覆層２０ｂの下層に回収された底質泥土２２ｂが充填されている。
【０１３２】
（6-9）第９工程
第８工程を終了したならば、図１に示したスパッド１１及びアンカー等の固定装置を引上げ、台船２を曳航して水平方向に移動して次の底質泥土除去対象領域の水面３０上まで曳航し、その後、その新たな対象領域にて上記の第１〜第８工程を繰り返す第９工程を行う。図４２Ａは、第９工程を繰り返し行った後の水底の状態を示す平面図である。本発明の１作業サイクルにおける底質泥土除去対象領域の形状は、底質泥土回収装置の回収扇部の形状及びその機能から図示のような円形領域となる。円形領域の直径は、回収扇部のそれに一致する。図４２Ｂは、図４２Ａと同様の状態を示す断面図である。図示の例のように、複数の底質泥土除去対象領域全体を漏れなくカバーするように掘削孔２１の位置を決定することが好ましい。すなわち、なるべく少ない繰り返し回数で最大面積をカバーできるように、隣接する円形領域との重複部分が最小面積となるようにする。
【０１３３】
（6-10）第１０工程
図４３は、第９工程を繰り返し行うことにより全対象領域の底質泥土を除去した後、底質泥土除去後の地盤表面上に土砂を埋め戻す第１０工程を模式的に示す図である。例えば、台船とは別の掘削土砂仮積用台船１２にバックホウ等の掘削機械１３と仮積みした土砂を搭載する。台船１２は、仮積みした土砂を収納するブルワークを取付けた構造とする。台船１２を、底質泥土除去後の地盤表面２０ａ上の水上まで曳航してアンカーワイヤー等で位置を固定する。その後、仮積みしていた土砂をバックホウ等を用いて掘削孔とその周囲に埋め戻し、極端な凹凸ができない程度に土砂２３を均す。これにより全作業を完了する。
【０１３４】
（７）スリット型回収口部を具備するケーシングパイプを用いた底質泥土回収方法（請求項１４〜１７に関連）
（7-1）第１〜３工程
スリット型回収口部を具備するケーシングパイプを用いた底質泥土回収方法の第１〜３工程は、前述のシャッター型回収口部を具備するケーシングパイプのそれと共通するので、図３３〜３５及びそれらの説明（6-1）〜（6-3）を参照されたい。
【０１３５】
（7-2）第４工程
図４４は、ケーシングパイプ４の貫入工程及びケーシングパイプ４の内部土砂の掘削工程を含む第４工程を模式的に示す図である。ケーシング回転掘削機６によりケーシングパイプ４を回転させつつ、ケーシング回転掘削機６の昇降動作の１ストローク分に相当する長さだけケーシングパイプ４を下降させ、地盤２０中へ貫入させる。このとき図１８に示したケーシングパイプ４の下端に設けた切削刃により地盤２０を切削しつつ貫入することができる。貫入したケーシングパイプ４の内部には地盤２０を形成する土砂が詰まっている。次に、ケーシングパイプ４の上端からクレーン３で吊り上げたハンマーグラブ８を管内に挿入下降させ、内部土砂を掘削し、掘削した土砂を把持したまま引き上げ、ケーシングパイプ４から取り出す。ハンマーグラブ８は、例えば、広く普及している公知技術または製品の中から、ケーシングパイプ４の内直径（例えば３ｍ）と、搭載したクレーン３の能力に適合するものを選択する。
【０１３６】
このケーシングパイプ４の貫入と内部土砂の掘削取り出し作業を、スリット孔４２の下辺が底質泥土表面２２ａに到達するまで繰り返す。
【０１３７】
（7-3）第５工程
図４５は、回収扇部９により底質泥土を回収する第５工程を模式的に示す図である。先ず、作業台５の下方に吊り上げていた回収扇部９を、ケーシングパイプ４に沿って吊り降ろす。回収扇部９の非作業時の状態は、回収扇部９がケーシングパイプ４に固定されておらず昇降自在である。回収扇部９に連結された吊りワイヤーを繰り出して降下させ、回収扇部９の下端が底質泥土表面２２ａ近傍に到達した時点で停止させる。続いて、回収扇部９をケーシングパイプ４の外周面に対して固定する。くさび固定式であれば、水平動くさびを移動させ挟持板によりケーシングパイプ４の外周面を押圧する。くさび調節ねじの操作は潜水夫が行う。エア固定式であれば、圧縮空気を供給してエアシリンダを伸長させ挟持板によりケーシングパイプ４の外周面を押圧する。エア配管の連結操作は潜水夫が行う。回収扇部９の固定を完了したならば、回収扇部９の連結していた吊りワイヤーを取り外す。この作業も潜水夫が行う。
【０１３８】
続いて、ケーシングパイプ４を回転させつつ、降下させる（実線矢印）。固定状態の回収扇部９もまた回転しつつ降下することとなる。回転及び降下の速度は、底質泥土２２を攪乱しない程度に設定する。図４５では回収扇部９の天板９Ｄ１１が平板形状であるが、さらに好適な形状では、天板の中心近傍が高く周縁が低くなるよう傾斜を設けている。好適形状の場合、回収扇部９を降下させると、その下方の底質泥土２２には回収扇部９を降下させた反力として上向きの力がかかり上昇する。そして、底質泥土２２が羽根板によりかき集められ天板の下面に到達すると、天板の傾斜に沿って移動しようとする。こうして上向きの力と中心向きの力がかかることにより、回収扇部９直下の円形領域内に存在する底質泥土２２が外側から内側へとケーシングパイプ４に向かって掻き寄せられる。尚、天板９Ｄ１１に傾斜のない場合も羽根板により中心への掻き寄せ効果は得られるが、傾斜を設けた方が中心向きの力が大きくなり、効率的である。
【０１３９】
こうして、破線矢印のようにケーシングパイプ４まで掻き寄せられた底質泥土２２は、スリット孔４２を通ってケーシングパイプ４内に入り、掘削孔２１に落下する。このようにして、スリット孔４２の下辺が地盤表面２０ａに到達するまで降下させ、到達したならば降下及び回転を停止させる。この時点で、掘削孔２１内に落とし込まれた底質泥土２２ｂの表面が、地盤表面２０ａより下方に位置するように、ケーシングパイプ４の貫入深度（掘削孔２１の容積に関連）、回収扇部９の径（回収する底質泥土２２ｂの容積に関連）等を設定することが好ましい。前述の実施例においては、地盤表面２０ａより約１ｍ下方となるようにする。掘削孔２１内に落とし込まれた底質泥土２２ｂの表面から地盤表面２０ａまでの距離は、後述する第７工程で形成する被覆層の長さに相当することとなる。
【０１４０】
（7-4）第６工程
図４６は、回収扇部９を引き上げ回収する第６工程を模式的に示した図である。１つの貫入箇所における底質泥土２２の回収が終了したならば、再び回収扇部９に吊りワイヤーを連結する。この作業は潜水夫が行う。その後、吊りワイヤを巻き上げて回収扇部９を作業台５の下方近傍の初期位置まで引き上げる。
【０１４１】
（7-5）第７工程
図４７は、ケーシングパイプ４内の掘削孔に落とし込まれた底質泥土の表面を土砂で被覆する（すなわちキャッピングする）第７工程を模式的に示す図である。被覆作業を効率よく行うためにはトレミー管１０を用いることが好適である。ケーシングパイプ４の内部にトレミー管１０を挿入し、その下端を、掘削孔（図１１、図１５の符号２１）に落し込まれた底質泥土（図１１、図１５の符号２２ｂ）の表面から例えば約１ｍ上方付近に位置させる。次に、ハンマーグラブ８または別途用意したバケットを用いて、トレミー管１０の上部から被覆材２０ｂ’である土砂を、例えば約１ｍの厚さになるまで投入して被覆層（図１１、図１５の符号２０ｂ）を形成した後トレミー管を引上げる。スリット型ケーシングパイプの第７工程におけるケーシングパイプ４内部の状態は、前述の図１１及び図１５に示されている。
【０１４２】
第７工程の別の実施例では、ハンマーグラブ８を用いて台船２上に用意した土砂または砂（図示せず）を掴み、ケーシングパイプ４の上端からハンマーグラブ８を挿入してケーシングパイプ４内を吊り降ろし、掘削孔に落とし込まれた底質泥土の表面付近にてハンマーグラブ８を開放して土砂または砂を底質泥土の上に落とす。その後、ハンマーグラブ８を引き上げる。これを繰り返して、例えば約１ｍの高さの被覆層を形成する。
【０１４３】
尚、被覆層の長さは、掘削孔が土砂等により充填されて周囲の地盤表面２０ａとほぼ均一な面となるように設定する。被覆材２０ｂ’として台船２上に用意する土砂または砂は、上記第４工程で掘削孔を掘削した際に取り出したものでもよく、あるいは、別途用意したものでもよい。第４工程で掘削され取り出された土砂を用いると、廃棄土砂が全く発生しないことから環境的に最も好ましい。被覆層に別途用意した砂等を用いる場合としては、例えばケーシングパイプ内を掘削した土砂が粘土質であるために水中で濁りを発生する等、周囲の環境に却って影響を及ぼすおそれがある場合がある。
【０１４４】
（7-6）第８〜１０工程
スリット型回収口部を具備するケーシングパイプを用いた底質泥土回収方法の第８〜１０工程は、前述のシャッター型回収口部を具備するケーシングパイプのそれと共通するので、図４１〜４３及びそれらの説明（6-8）〜（6-10）を参照されたい。
【図面の簡単な説明】
【０１４５】
【図１】水底の地盤表面上に堆積した底質泥土を回収する底質泥土回収装置の全体構成図である。
【図２】ケーシングパイプ及ぶ回収扇部の概略構成図である。
【図３】ケーシングパイプにおけるシャッター型回収口部の内管部と外管部の展開図である。
【図４Ａ】シャッター型回収口部のシャッター閉状態における断面図である。
【図４Ｂ】シャッター型回収口部のシャッター開状態における断面図である。
【図５Ａ】シャッター型回収口部が閉の状態を示す図である。
【図５Ｂ】シャッター型回収口部が開の状態を示す図である。
【図６】シャッター型回収口部を具備するケーシングパイプを地盤中に貫入した状態の先端部分の断面図である。
【図７】エア固定式回収扇部と組み合わせるケーシングパイプにおけるエア配管孔を具備するシャッター型回収口部の内管部と外管部の展開図である。
【図８】図７のエア配管孔部分の断面図である。
【図９】エア配管孔を具備するシャッター型回収口部を有するケーシングパイプを地盤中に貫入した状態の先端部分の断面図である。
【図１０】ケーシングパイプにおけるスリット型回収口部を示す部分斜視図である。
【図１１】スリット型回収口部を有するケーシングパイプを地盤中に貫入した状態の先端部分の断面図である。
【図１２】エア固定式回収扇部と組み合わせるケーシングパイプにおけるエア配管孔を具備するスリット型回収口部の部分斜視図である。
【図１３】図１２のエア配管孔部分の断面（Ａ断面）図である。
【図１４】図１２のスリット孔部分の断面（Ｂ断面）図である。
【図１５】エア配管孔を具備するスリット型回収口部を有するケーシングパイプを地盤中に貫入した状態の先端部分の断面図である。
【図１６】先端キャップ部の側面図である。
【図１７】図１６のＣ−Ｃ矢視図である。
【図１８】先端キャップ部をケーシングパイプの下端に装着した状態を示す一部切り欠き側面図である。
【図１９】図１８のＢ−Ｂ矢視図である。
【図２０Ａ】ケーシングパイプの外周に装着したくさび固定式回収扇部（水平型天板部）の固定状態を示す断面図である。
【図２０Ｂ】図２０Ａに対応するくさび固定式回収扇部の解除状態を示す部分断面図である。
【図２１】水平型天板部を具備するくさび固定式回収扇部の斜視図である。
【図２２】図２０ＡのＡ視図である。
【図２３】ケーシングパイプの外周に装着したくさび固定式回収扇部（円錐型天板部）の固定状態を示す断面図である。
【図２４】円錐型天板部を具備するくさび固定式回収扇部の斜視図である。
【図２５】ケーシングパイプの外周に装着したエア固定式回収扇部（水平型天板部）の固定状態を示す断面図である。
【図２６】水平型天板部を具備するエア固定式回収扇部の斜視図である。
【図２７】水平型天板部を具備するエア固定式回収扇部による泥土回収状況を示す一部切り欠き断面図である。
【図２８】図２７のＢ−Ｂ断面図である。
【図２９】図２７のＣ−Ｃ断面図である。
【図３０】ケーシングパイプの外周に装着したエア固定式回収扇部（円錐型天板部）の固定状態を示す断面図である。
【図３１】円錐型天板部を具備するエア固定式回収扇部の斜視図である。
【図３２】シャッター型回収口部及びスリット型回収口部の各々を具備するケーシングパイプを用いた底質泥土回収方法の概略的フロー図である。
【図３３】シャッター型回収口部及びスリット型回収口部の各々を具備するケーシングパイプに共通する第１工程を模式的に示す図である。
【図３４】シャッター型回収口部及びスリット型回収口部の各々を具備するケーシングパイプに共通する第２工程を模式的に示す図である。
【図３５】シャッター型回収口部及びスリット型回収口部の各々を具備するケーシングパイプに共通する第３工程を模式的に示す図である。
【図３６】シャッター型回収口部を具備するケーシングパイプの場合の第４工程の前半を模式的に示す図である。
【図３７】シャッター型回収口部を具備するケーシングパイプの場合の第４工程の後半を模式的に示す図である。
【図３８】シャッター型回収口部を具備するケーシングパイプの場合の第５工程を模式的に示す図である。
【図３９】シャッター型回収口部を具備するケーシングパイプの場合の第６工程を模式的に示す図である。
【図４０】シャッター型回収口部の場合の第７工程を模式的に示す図である。
【図４１】シャッター型回収口部及びスリット型回収口部の各々を具備するケーシングパイプに共通する第８工程を模式的に示す図である。
【図４２Ａ】シャッター型回収口部及びスリット型回収口部の各々を具備するケーシングパイプに共通する第９工程の状況を模式的に示す平面図である。
【図４２Ｂ】シャッター型回収口部及びスリット型回収口部の各々を具備するケーシングパイプに共通する第９工程の状況を模式的に示す断面図である。
【図４３】シャッター型回収口部及びスリット型回収口部の各々を具備するケーシングパイプに共通する第１０工程を模式的に示す図である。
【図４４】スリット型回収口部を具備するケーシングパイプの場合の第４工程を模式的に示す図である。
【図４５】スリット型回収口部を具備するケーシングパイプの場合の第５工程を模式的に示す図である。
【図４６】スリット型回収口部を具備するケーシングパイプの場合の第６工程を模式的に示す図である。
【図４７】スリット型回収口部を具備するケーシングパイプの場合の第７工程を模式的に示す図である。
【符号の説明】
【０１４６】
１  底質泥土回収装置
２  台船
３  クレーン
４  ケーシングパイプ
４０  回収口部
４Ａ  下部ケーシングパイプ
４Ａ１  上端部
４Ａ２  シャッター孔
４Ａ３  突起
４Ｂ  上部ケーシングパイプ
４Ｂ１  下端部
４Ｂ２  シャッター孔
４Ｂ３  切欠き
４Ｂ５  エア配管孔
４Ｆ  カッター
４２  スリット孔
４５  エア配管孔
５  作業台
６  ケーシング回転掘削機
７  先端キャップ部
７Ａ  先端キャップ
７Ａ１  円盤
７Ａ２  円錐体
７Ａ３  泥土掻き出し突条
７Ｂ１  シリンダ固定フレーム
７Ｂ２  シリンダ
７Ｂ３  固定脚
７Ｂ４  ロータリージョイント
７Ｂ５  供給管
７Ｂ６  供給管
７Ｃ１  ガイドローラ
７Ｃ２  ガイドローラフレーム
７Ｄ１  ワイヤーフック
７Ｄ２  吊りワイヤー
７Ｄ３  スイベルジョイント
７Ｄ４  吊りワイヤー
８  ハンマーグラブ
９  回収扇部
９Ａ１  吊りワイヤー
９Ａ２  吊りワイヤーフック
９Ｂ２  連結ロッド（連結手段）
９Ｂ３  挟持板
９Ｂ４  解除スプリング（弾性手段）
９Ｂ５  くさび調節ねじ（制止手段）
９Ｂ６  水平動くさび
９Ｂ７  上下動くさび
９Ｂ１０  固定部上板
９Ｂ１１  固定部円環壁
９Ｂ１２  固定部内壁
９Ｃ２  連結ロッド（連結手段）
９Ｃ３  挟持板
９Ｃ４  エアシリンダ
９Ｃ５  シリンダ固定具
９Ｃ６  エア配管
９Ｃ７  カプラ
９Ｃ８  エア配管
９Ｃ９  エアホース
９Ｃ１０  ロータリージョイント
９Ｄ１１  天板
９Ｄ１２  円筒側板
９Ｄ２  羽根板
９Ｄ３  貫通孔
１０  トレミー管
１１  スパッド
１２  掘削土砂仮積用台船
１３  掘削機械
２０  地盤
２０ａ  地盤表面
２０ｂ  被覆層
２０ｂ’  （被覆層用）被覆材
２１  掘削孔
２２  底質泥土
２２ａ  底質泥土表面
２２ｂ  掘削孔内の底質泥土
２３  埋戻材
３０  水面
【図１】
0004718126.tif 000002
【図２】
0004718126.tif 000003
【図３】
0004718126.tif 000004
【図４Ａ】
0004718126.tif 000005
【図４Ｂ】
0004718126.tif 000006
【図５Ａ】
0004718126.tif 000007
【図５Ｂ】
0004718126.tif 000008
【図６】
0004718126.tif 000009
【図７】
0004718126.tif 000010
【図８】
0004718126.tif 000011
【図９】
0004718126.tif 000012
【図１０】
0004718126.tif 000013
【図１１】
0004718126.tif 000014
【図１２】
0004718126.tif 000015
【図１３】
0004718126.tif 000016
【図１４】
0004718126.tif 000017
【図１５】
0004718126.tif 000018
【図１６】
0004718126.tif 000019
【図１７】
0004718126.tif 000020
【図１８】
0004718126.tif 000021
【図１９】
0004718126.tif 000022
【図２０Ａ】
0004718126.tif 000023
【図２０Ｂ】
0004718126.tif 000024
【図２１】
0004718126.tif 000025
【図２２】
0004718126.tif 000026
【図２３】
0004718126.tif 000027
【図２４】
0004718126.tif 000028
【図２５】
0004718126.tif 000029
【図２６】
0004718126.tif 000030
【図２７】
0004718126.tif 000031
【図２８】
0004718126.tif 000032
【図２９】
0004718126.tif 000033
【図３０】
0004718126.tif 000034
【図３１】
0004718126.tif 000035
【図３２】
0004718126.tif 000036
【図３３】
0004718126.tif 000037
【図３４】
0004718126.tif 000038
【図３５】
0004718126.tif 000039
【図３６】
0004718126.tif 000040
【図３７】
0004718126.tif 000041
【図３８】
0004718126.tif 000042
【図３９】
0004718126.tif 000043
【図４０】
0004718126.tif 000044
【図４１】
0004718126.tif 000045
【図４２Ａ】
0004718126.tif 000046
【図４２Ｂ】
0004718126.tif 000047
【図４３】
0004718126.tif 000048
【図４４】
0004718126.tif 000049
【図４５】
0004718126.tif 000050
【図４６】
0004718126.tif 000051
【図４７】
0004718126.tif 000052